(57)【要約】【課題】効率的に通信を行うことができる端末装置、基地局装置、方法および集積回路に関する技術を提供すること。【解決手段】端末装置が、特定の期間に送信されるＳＳ／ＰＢＣＨブロックの時間領域の位置を示すＵＥ特有の第１のパラメータと、セル特有の第２のパラメータとを受信し、ＰＲＡＣＨ機会に関する処理に用いられるパラメータとして第２のパラメータを用いて、ＰＲＡＣＨ機会に関する処理以外の処理に用いられるパラメータとして第１のパラメータを用いて、ＰＲＡＣＨ機会に関する処理で用いるＵＥ特有のパラメータは第２のパラメータに基づき設定される。【選択図】図２
2020005126.tif 000002
【特許請求の範囲】
【請求項１】
端末装置であって、
サービングセルの設定情報（第１の設定情報）と、サービングセルを設定するシステム情報（第２の設定情報）とを受信する受信部と、
前記第１の設定情報および前記第２の設定情報は、セル特有のパラメータを含み、
前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、
前記第２の設定情報は、特定の期間に送信されるＳＳ／ＰＢＣＨブロックの時間領域の位置を示すセル特有の第３のパラメータを含み、
前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータあるいは前記第３のパラメータの何れかを物理レイヤに提供（適用）する第１の処理部と、
前記第１のパラメータが前記第１の処理部から提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いる第２の処理部とを備える端末装置。
【請求項２】
基地局装置であって、
サービングセルの設定情報（第１の設定情報）、およびサービングセルを設定するシステム情報（第２の設定情報）とを端末装置に送信する送信部と、
前記第１の設定情報および前記第２の設定情報は、セル特有のパラメータを含み、
前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、
前記第２の設定情報は、特定の期間に送信されるＳＳ／ＰＢＣＨブロックの時間領域の位置を示すセル特有の第３のパラメータを含み、
前記第１のパラメータセットに含まれる前記第１のパラメータ以外のＰＲＡＣＨ機会に関するパラメータは、前記第２のパラメータまたは前記第３のパラメータに関連づけられたパラメータを設定する制御部とを備える基地局装置。
【請求項３】
端末装置に適用される方法であって、
サービングセルの設定情報（第１の設定情報）と、サービングセルを設定するシステム情報（第２の設定情報）とを受信するステップと、
前記第１の設定情報および前記第２の設定情報は、セル特有のパラメータを含み、
前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、
前記第２の設定情報は、特定の期間に送信されるＳＳ／ＰＢＣＨブロックの時間領域の位置を示すセル特有の第３のパラメータを含み、
前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータあるいは前記第３のパラメータの何れかを物理レイヤに提供（適用）するステップと、
前記第１のパラメータが提供される場合に、ＳＳ／ＰＢＣＨブロックのバースト内のＳ
Ｓ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いるステップとを少なくとも含む方法。
【請求項４】
基地局装置に適用される方法であって、
サービングセルの設定情報（第１の設定情報）、およびサービングセルを設定するシステム情報（第２の設定情報）とを端末装置に送信するステップと、
前記第１の設定情報および前記第２の設定情報は、セル特有のパラメータを含み、
前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、
前記第２の設定情報は、特定の期間に送信されるＳＳ／ＰＢＣＨブロックの時間領域の位置を示すセル特有の第３のパラメータを含み、
前記第１のパラメータセットに含まれる前記第１のパラメータ以外のＰＲＡＣＨ機会に関するパラメータは、前記第２のパラメータまたは前記第３のパラメータに関連づけられたパラメータを設定するステップとを少なくとも含む方法。
【請求項５】
端末装置に実装される集積回路であって、
サービングセルの設定情報（第１の設定情報）と、サービングセルを設定するシステム情報（第２の設定情報）とを受信する機能と、
前記第１の設定情報および前記第２の設定情報は、セル特有のパラメータを含み、
前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、
前記第２の設定情報は、特定の期間に送信されるＳＳ／ＰＢＣＨブロックの時間領域の位置を示すセル特有の第３のパラメータを含み、
前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータまたは前記第３のパラメータの何れかを物理レイヤに提供（適用）する機能と、
前記第１のパラメータが提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いる機能とを前記端末装置に対して発揮させる集積回路。
【請求項６】
基地局装置に実装される集積回路であって、
サービングセルの設定情報（第１の設定情報）、およびサービングセルを設定するシステム情報（第２の設定情報）とを端末装置に送信する機能と、
前記第１の設定情報および前記第２の設定情報は、セル特有のパラメータを含み、
前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、
前記第２の設定情報は、特定の期間に送信されるＳＳ／ＰＢＣＨブロックの時間領域の位置を示すセル特有の第３のパラメータを含み、
前記第１のパラメータセットに含まれる前記第１のパラメータ以外のＰＲＡＣＨ機会に
関するパラメータは、前記第２のパラメータまたは前記第３のパラメータに関連づけられたパラメータを設定する機能とを前記基地局装置に対して発揮させる集積回路。
【発明の詳細な説明】
【技術分野】
【０００１】
本発明は、端末装置、基地局装置、方法、および、集積回路に関する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：３ＧＰＰ）において検討されている。また、３ＧＰＰにおいて、第５世代のセルラーシステムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【０００３】
第５世代のセルラーシステムでは、高速・大容量伝送を実現するｅＭＢＢ（ｅｎｈａｎｃｅｄ  Ｍｏｂｉｌｅ  ＢｒｏａｄＢａｎｄ）、低遅延・高信頼通信を実現するＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、ＩｏＴ（Ｉｎｔｅｒｎｅｔ  ｏｆ  Ｔｈｉｎｇｓ）などマシン型デバイスが多数接続するｍＭＴＣ（ｍａｓｓｉｖｅ  Ｍａｃｈｉｎｅ  Ｔｙｐｅ  Ｃｏｍｍｕｎｉｃａｔｉｏｎ）の3つがサービスの想定シナリオとして要求されている。
【先行技術文献】
【非特許文献】
【０００４】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年6月
【非特許文献２】３ＧＰＰ  Ｒ２−１８０９２３９  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿１０２／Ｄｏｃｓ／Ｒ２−１８０９２３９．ｚｉｐ
【非特許文献３】３ＧＰＰ  Ｒ２−１８０７９５７  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿９３／Ｄｏｃｓ／Ｒ１−１８０７９５７．ｚｉｐ
【発明の概要】
【発明が解決しようとする課題】
【０００５】
ＮＲでは、様々なパラメータがユニキャストおよびブロードキャストで端末装置に通知される仕組みが検討されているが、現在検討されているメッセージ構造（非特許文献２）では、ブロードキャストで提供されるデータの更新時に端末装置が適切なパラメータ設定を行えず基地局装置との効率的な通信が行えない場合があるという課題があった。
【０００６】
本発明の一態様は、上記した事情に鑑みてなされたもので、基地局装置との通信を効率的に行うことができる端末装置、該端末装置と通信する基地局装置、該端末装置に用いられる方法、該基地局装置に用いられる方法、該端末装置に実装される集積回路、該基地局装置に実装される集積回路を提供することを目的の１つとする。
【課題を解決するための手段】
【０００７】
（１）上記の目的を達成するために、本発明の一態様は、以下のような手段を講じた。
すなわち、本発明の第１の態様は、端末装置であって、サービングセルの設定情報（第１の設定情報）と、サービングセルを設定するシステム情報（第２の設定情報）とを受信する受信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータあるいは前記第３のパラメータの何れかを物理レイヤに提供（適用）する第１の処理部と、前記第１のパラメータが前記第１の処理部から提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いる第２の処理部とを備える。
【０００８】
（２）また、本発明の第２の様態は、基地局装置であって、サービングセルの設定情報（第１の設定情報）、およびサービングセルを設定するシステム情報（第２の設定情報）とを端末装置に送信する送信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータセットに含まれる前記第１のパラメータ以外のＰＲＡＣＨ機会に関するパラメータは、前記第２のパラメータまたは前記第３のパラメータに関連づけられたパラメータを設定する制御部とを備える。
【０００９】
（３）また、本発明の第３の様態は、端末装置に適用される方法であって、サービングセルの設定情報（第１の設定情報）と、サービングセルを設定するシステム情報（第２の設定情報）とを受信するステップと、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータあるいは前記第３のパラメータの何れかを物理レイヤに提供（適用）するステップと、前記第１のパラメータが提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いるステップとを少なくとも含む。
【００１０】
（４）また、本発明の第４の様態は、基地局装置に適用される方法であって、サービングセルの設定情報（第１の設定情報）、およびサービングセルを設定するシステム情報（
第２の設定情報）とを端末装置に送信するステップと、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータセットに含まれる前記第１のパラメータ以外のＰＲＡＣＨ機会に関するパラメータは、前記第２のパラメータまたは前記第３のパラメータに関連づけられたパラメータを設定するステップとを少なくとも含む。
【００１１】
（５）また、本発明の第５の様態は、端末装置に実装される集積回路であって、サービングセルの設定情報（第１の設定情報）と、サービングセルを設定するシステム情報（第２の設定情報）とを受信する機能と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータまたは前記第３のパラメータの何れかを物理レイヤに提供（適用）する機能と、前記第１のパラメータが提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いる機能とを前記端末装置に対して発揮させる。
【００１２】
（６）また、本発明の第６の様態は、基地局装置に実装される集積回路であって、サービングセルの設定情報（第１の設定情報）、およびサービングセルを設定するシステム情報（第２の設定情報）とを端末装置に送信する機能と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータセットに含まれる前記第１のパラメータ以外のＰＲＡＣＨ機会に関するパラメータは、前記第２のパラメータまたは前記第３のパラメータに関連づけられたパラメータを設定する機能とを前記基地局装置に対して発揮させる。
【発明の効果】
【００１３】
本発明の一態様によれば、端末装置および基地局装置は、効率的に通信を行うことができる。
【図面の簡単な説明】
【００１４】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレ−ム、スロット、ミニスロットの時間領域における関係を示した図である。
【図６】本発明の実施形態に係るスロットまたはサブフレ−ムの一例を示す図である。
【図７】本発明の実施形態に係るＲＲＣ再設定メッセージの構成の一例を示す図である。
【図８】本発明の実施形態に係るＲＲＣ再設定メッセージに含まれる情報の構成の一例を示す図である。
【図９】本発明の実施形態に係るＲＲＣ再設定メッセージに含まれる情報の構成の一例を示す図である。
【図１０】本発明の実施形態に係るＲＲＣ再設定メッセージに含まれる情報の構成の一例を示す図である。
【図１１】本発明の実施形態に係るＳＩＢ１に含まれる情報の構成の一例を示す図である。
【図１２】本発明の実施形態に係るＳＳ／ＰＢＣＨブロックが送信される時間位置を示すビットマップ構成の一例を示す図である。
【発明を実施するための形態】
【００１５】
以下、本発明の実施形態について説明する。
【００１６】
本実施形態の無線通信システム、および無線ネットワークについて説明する。
【００１７】
ＬＴＥ（およびＬＴＥ−Ａ  Ｐｒｏ）とＮＲは、異なるＲＡＴとして定義されてよい。また、ＮＲとＤｕａｌ  ｃｏｎｎｅｃｔｉｖｉｔｙで接続可能なＬＴＥは、例えばｅＬＴＥとして、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００１８】
図１は、本実施形態の無線通信システムの概念図である。図１において、無線通信システムは、端末装置２および基地局装置３を具備する。
【００１９】
端末装置２は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（Ｎｏｄｅ  Ｂ）、ｅＮＢ（ｅｖｏｌｖｅｄ  Ｎｏｄｅ  Ｂ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  Ｎｏｄｅ  Ｂ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢとも称される。基地局装置３は、コアネットワーク装置を含んでも良い。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（通信エリア）を１つまたは複数のセルとして端末装置２をサーブしてもよい。基地局装置３は、コアネットワーク装置を含んでもよい。また、基地局装置３は、１または複数の送受信点４によって制御される通信可能範囲（通信エリア）を１つまたは複数のセルとして端末装置２をサーブしてもよい。また、ＮＲでは１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、ビ−ムフォーミングで使用されるビ−ムのインデックス、クワジコロケ−ションのインデックス、後述するフレーム内（またはフレームの半分の時間長であるハーフフ
レーム）における時間位置を示すインデックス、あるいはプリコ−ディングのインデックスに基づいて識別されてもよい。
【００２０】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２１】
基地局装置３から端末装置２への無線通信リンクを下りリンクと称する。端末装置２から基地局装置３への無線通信リンクを上りリンクと称する。端末装置２から他の端末装置２への直接無線通信リンクをサイドリンクと称する。
【００２２】
図１において、端末装置２と基地局装置３の間の無線通信および／または端末装置２と他の端末装置２の間の無線通信では、サイクリックプレフィックス（ＣＰ：  Ｃｙｃｌｉｃ  Ｐｒｅｆｉｘ）を含む直交周波数分割多重（ＯＦＤＭ：  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：  Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フーリエ変換拡散ＯＦＤＭ（ＤＦＴ−Ｓ−ＯＦＤＭ：  Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：  Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２３】
また、図１において、端末装置２と基地局装置３の間の無線通信および／または端末装置２と他の端末装置２の間の無線通信では、ユニバーサルフィルタマルチキャリア（ＵＦＭＣ：  Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：  Ｆｉｌｔｅｒｅｄ  ＯＦＤＭ）、窓関数が乗算されたＯＦＤＭ（Ｗｉｎｄｏｗｅｄ  ＯＦＤＭ）、フィルタバンクマルチキャリア（ＦＢＭＣ：  Ｆｉｌｔｅｒ−Ｂａｎｋ  Ｍｕｌｔｉ−Ｃａｒｒｉｅｒ）が用いられてもよい。
【００２４】
なお、本実施形態ではＯＦＤＭを伝送方式としてＯＦＤＭシンボルで説明するが、上述の他の伝送方式の場合を用いた場合も本発明に含まれる。例えば、本実施形態におけるＯＦＤＭシンボルはＳＣ−ＦＤＭシンボル（ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルと称される場合もある）であってもよい。
【００２５】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２６】
端末装置２は、セルの中を通信エリアとみなして動作する。端末装置２は、非無線接続時（アイドル状態、ＲＲＣ＿ＩＤＬＥ状態とも称する）において、セル再選択手順によって別の適切なセルへ移動してもよい。端末装置２は、無線接続時（コネクティッド状態、ＲＲＣ＿ＣＯＮＮＥＣＴＥＤ状態とも称する）において、ハンドオ−バ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２は、不活動状態（インアクティブ状態、ＲＲＣ＿ＩＮＡＣＴＩＶＥ状態とも称する）において、セル
再選択手順によって別の適切なセルへ移動してもよい。端末装置２は、不活動状態において、ハンドオ−バ手順によって別のセルへ移動してもよい。
【００２７】
端末装置２がある基地局装置３と通信可能であるとき、その基地局装置３のセルのうち、端末装置２との通信に使用されるように設定されているセルを在圏セル（Ｓｅｒｖｉｎｇ  ｃｅｌｌ、サービングセル）と称して、その他の通信に使用されないセルは周辺セル（Ｎｅｉｇｈｂｏｒｉｎｇ  ｃｅｌｌ）と称してよい。また、サービングセルにおいて必要となるシステム情報の一部あるいは全部は、端末装置２に対して、別のセルで報知または通知される場合もある。
【００２８】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオ−バプロシージャにおいてプライマリセルと指示されたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。マスターセルグループは１つのプライマリセルと０個以上のセカンダリセルで構成される。セカンダリセルグループは１つのプライマリセカンダリセルと０個以上のセカンダリセルで構成される。また、ＭＣＧとＳＣＧの何れかはＬＴＥのセルで構成されるセルグループであってもよい。ＭＣＧとＳＣＧが異なるノードと関連付けられたセルグループである場合、ＭＣＧに関連付けられるノードをマスターノード（ＭＮ）、ＳＣＧに関連付けられるノードをセカンダリノード（ＳＮ）と称してもよい。マスターノードとセカンダリノードは、必ずしも物理的に異なるノード（基地局装置３）である必要はなく、同一の基地局装置３が兼ねてもよい。また、マスターノードとセカンダリノードが、同一のノード（基地局装置３）であるか異なるノード（基地局装置３）であるかを端末装置２は識別しなくてもよい。
【００２９】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００３０】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００３１】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００３２】
図１において、端末装置２と基地局装置３の下りリンク無線通信では、以下の下りリンク物理チャネルが用いられる。下りリンク物理チャネルは、上位層から出力された情報を送信するために使用される。
【００３３】
・ＰＢＣＨ（Ｐｈｙｓｉｃａｌ  Ｂｒｏａｄｃａｓｔ  ＣＨａｎｎｅｌ）
・ＰＤＣＣＨ（Ｐｈｙｓｉｃａｌ  Ｄｏｗｎｌｉｎｋ  Ｃｏｎｔｒｏｌ  ＣＨａｎｎｅｌ）
・ＰＤＳＣＨ（Ｐｈｙｓｉｃａｌ  Ｄｏｗｎｌｉｎｋ  Ｓｈａｒｅｄ  ＣＨａｎｎｅｌ）
【００３４】
ＰＢＣＨは、端末装置２が必要とする重要なシステム情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Ｗｒａｐ  ａｒｏｕｎｄ）。また、セル内の領域ごとに異なる重要情報ブロックが送信される場合には領域を識別できる情報（例えば、領域を構成する基地局送信ビームの識別子情報）が含まれてもよい。ここで、基地局送信ビームの識別子情報は、基地局送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる基地局送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。また、重要情報メッセージはシステム情報メッセージの一部であってもよい。また、重要情報メッセージの一部あるいは全部が、最少システム情報（Ｍｉｎｉｍｕｍ
ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。また、最少システム情報の一部のみがＰＢＣＨで報知され、残りの最少システム情報が後述するＰＤＳＣＨで送信されてもよい。また、システム情報は複数のブロックに分けられてよい。例えば、セルへのアクセスに必要な情報がＳＩＢ（システム情報ブロック）１に含まれてよい。また、例えば、セル再選択に必要な情報がＳＩＢ２、ＳＩＢ３、ＳＩＢ４に含まれてよい。その他複数のＳＩＢが用意されてよい。また、１つまたは複数のＳＩＢで１つのシステム情報メッセージが構成されてもよい。それぞれのシステム情報メッセージは異なる時間周期で送信されてもよい。それぞれのシステム情報メッセージの送信スケジュールの情報がＳＩＢ１に含まれてよい。
【００３５】
また、ＰＢＣＨは、ＰＢＣＨと、後述するＰＳＳとＳＳＳとを含んで構成されるブロッ
ク（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビーム（送信フィルタ設定、受信空間パラメータに関する擬似同位置（ＱＣＬ：Ｑｕａｓｉ  Ｃｏ−Ｌｏｃａｔｉｏｎ）、または空間ドメイン送信フィルタと称される場合もある）の想定を用いてＳＳ／ＰＢＣＨブロックを送信する場合、予め定められた周期内または設定された周期内の時間順を示してよい。また、端末装置は、時間インデックスの違いを送信ビームの違いと認識してもよい。
【００３６】
ＰＤＣＣＨは、下りリンクの無線通信（基地局装置３から端末装置２への無線通信）において、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３７】
例えば、ＤＣＩとして、スケジューリングされたＰＤＳＣＨに対するＨＡＲＱ−ＡＣＫを送信するタイミング（例えば、ＰＤＳＣＨに含まれる最後のシンボルからＨＡＲＱ−ＡＣＫ送信までのシンボル数）示す情報を含むＤＣＩが定義されてもよい。
【００３８】
例えば、ＤＣＩとして、１つのセルにおける１つの下りリンクの無線通信ＰＤＳＣＨ（１つの下りリンクトランスポートブロックの送信）のスケジューリングのために用いられるＤＣＩが定義されてもよい。
【００３９】
例えば、ＤＣＩとして、１つのセルにおける１つの上りリンクの無線通信ＰＵＳＣＨ（１つの上りリンクトランスポートブロックの送信）のスケジューリングのために用いられるＤＣＩが定義されてもよい。
【００４０】
ここで、ＤＣＩには、ＰＤＳＣＨあるいはＰＵＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００４１】
ＰＤＳＣＨは、媒介アクセス（ＭＡＣ：Ｍｅｄｉｕｍ  Ａｃｃｅｓｓ  Ｃｏｎｔｒｏｌ）からの下りリンクデータ（ＤＬ−ＳＣＨ：Ｄｏｗｎｌｉｎｋ  Ｓｈａｒｅｄ  ＣＨａｎｎｅｌ）の送信に用いられる。また、システム情報（ＳＩ：Ｓｙｓｔｅｍ  Ｉｎｆｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００４２】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ ｉｎｆｏｒｍａｔｉｏｎ：Ｒａｄｉｏ  Ｒｅｓｏｕｒｃｅ  Ｃ
ｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。ここでの上位層は、物理層から見た上位
層を意味するため、ＭＡＣ層、ＲＲＣ層、ＲＬＣ層、ＰＤＣＰ層、ＮＡＳ層などの１つまたは複数を含んでもよい。例えば、ＭＡＣ層の処理において上位層とは、ＲＲＣ層、ＲＬＣ層、ＰＤＣＰ層、ＮＡＳ層などの１つまたは複数を含んでもよい。
【００４３】
ＰＤＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置固有（ＵＥスペシフィック）な情報は、ある端末装置２に対して専用のシグナリングを用いて送信されてもよい。
【００４４】
ＰＲＡＣＨは、ランダムアクセスプリアンブルを送信するために用いられてもよい。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられてもよい。
【００４５】
図１において、下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００４６】
同期信号は、端末装置２が下りリンクの周波数領域および時間領域の同期をとるために用いられる。同期信号は、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（Ｓｅｃｏｎｄ  Ｓｙｎｃｈｒｏｎｉｚａｔｉｏｎ  Ｓｉｇｎａｌ）を含んでよい。また、同期信号は、端末装置２がセル識別子（セルＩＤ：Ｃｅｌｌ  Ｉｄｅｎｔｉｆｉｅｒ、ＰＣＩ：Ｐｈｙｓｉｃａｌ  Ｃｅｌｌ  Ｉｄｅｎｔｉｆｉｅｒとも称する）を特定するために用いられてもよい。また、同期信号は、下りリンクビームフォーミングにおいて基地局装置３が用いる基地局送信ビームおよび／または端末装置２が用いる端末受信ビームの選択／識別／決定に用いられてよい。すなわち、同期信号は、基地局装置３によって下りリンク信号に対して適用された基地局送信ビームのインデックスを、端末装置２が選択／識別／決定するために用いられてもよい。ＮＲにおいて用いられる同期信号、プライマリ同期信号およびセカンダリ同期信号をそれぞれＳＳ、ＰＳＳ、ＳＳＳと称してもよい。また、同期信号は、セルの品質を測定するために用いられてもよい。例えば同期信号の受信電力（ＳＳ−ＲＳＲＰまたは参照信号受信電力と同様にＲＳＲＰと称してもよい）や受信品質（ＳＳ−ＲＳＲＱまたは参照信号受信品質と同様にＲＳＲＱと称してもよい）が測定に用いられてよい。また、同期信号は、一部の下りリンク物理チャネルの伝搬路補正を行なうために用いられてもよい。
【００４７】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００４８】
・ＤＭＲＳ（Ｄｅｍｏｄｕｌａｔｉｏｎ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
・ＰＴＲＳ（Ｐｈａｓｅ  Ｔｒａｃｋｉｎｇ  Ｒｅｆｅｒｅｎｃｅ  Ｓｉｇｎａｌ）
・ＭＲＳ（Ｍｏｂｉｌｉｔｙ  Ｒｅｆｅｒｅｎｃｅ  Ｓｉｇｎａｌ）
【００４９】
ＤＭＲＳは、受信した変調信号の復調時の伝搬路補償に用いられてよい。ＤＭＲＳは、ＰＤＳＣＨの復調用、ＰＤＣＣＨの復調用、および／またはＰＢＣＨの復調用のＤＭＲＳを総じてＤＭＲＳと称してもよいし、それぞれ個別に定義されてもよい。
【００５０】
ＣＳＩ−ＲＳは、チャネル状態測定に用いられてよい。ＰＴＲＳは、端末の移動等により位相をトラックするために使用されてよい。ＭＲＳは、ハンドオーバのための複数の基地局装置からの受信品質を測定するために使用されてよい。
【００５１】
また、参照信号には、位相雑音を補償するための参照信号が定義されてもよい。
【００５２】
ただし、上記複数の参照信号の少なくとも一部は、他の参照信号がその機能を有してもよい。
【００５３】
また、上記複数の参照信号の少なくとも１つ、あるいはその他の参照信号が、セルに対して個別に設定されるセル固有参照信号（ＣＲＳ：Ｃｅｌｌ−ｓｐｅｃｉｆｉｃ  ｒｅｆｅｒｅｎｃｅ  ｓｉｇｎａｌ）、基地局装置３あるいは送受信点４が用いる送信ビーム毎のビーム固有参照信号（ＢＲＳ：Ｂｅａｍ−ｓｐｅｃｉｆｉｃ  ｒｅｆｅｒｅｎｃｅ  ｓｉｇｎａｌ）、および／または、端末装置２に対して個別に設定される端末固有参照信号（ＵＲＳ：ＵＥ−ｓｐｅｃｉｆｉｃ  ｒｅｆｅｒｅｎｃｅ  ｓｉｇｎａｌ）として定義されてもよい。
【００５４】
また、参照信号の少なくとも１つは、無線パラメータやサブキャリア間隔などのヌメロロジーやＦＦＴの窓同期などができる程度の細かい同期（Ｆｉｎｅ  ｓｙｎｃｈｒｏｎｉｚａｔｉｏｎ）に用いられてよい。
【００５５】
また、参照信号の少なくとも１つは、無線リソース測定（ＲＲＭ：Ｒａｄｉｏ  Ｒｅｓｏｕｒｃｅ  Ｍｅａｓｕｒｅｍｅｎｔ）に用いられてよい。また、参照信号の少なくとも１つは、ビームマネジメントに用いられてよい。無線リソース測定のことを以下では単に測定とも称する。
【００５６】
また、参照信号の少なくとも１つに、同期信号が含まれてもよい。
【００５７】
図１において、端末装置２と基地局装置３の上りリンク無線通信（端末装置２から基地局装置３の無線通信）では、以下の上りリンク物理チャネルが用いられる。上りリンク物理チャネルは、上位層から出力された情報を送信するために使用される。
【００５８】
・ＰＵＣＣＨ（Ｐｈｙｓｉｃａｌ  Ｕｐｌｉｎｋ  Ｃｏｎｔｒｏｌ  ＣＨａｎｎｅｌ）
・ＰＵＳＣＨ（Ｐｈｙｓｉｃａｌ  Ｕｐｌｉｎｋ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００５９】
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒ
ｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ，ＤＬ−ＳＣＨ：Ｄｏｗｎｌｉｎｋ−Ｓｈａｒｅｄ  Ｃｈａｎｎｅｌ）に対するＨＡＲＱ−ＡＣＫを示してもよい。
【００６０】
ＰＵＳＣＨは、媒介アクセス（ＭＡＣ：Ｍｅｄｉｕｍ  Ａｃｃｅｓｓ  Ｃｏｎｔｒｏｌ）からの上りリンクデータ（ＵＬ−ＳＣＨ：Ｕｐｌｉｎｋ  Ｓｈａｒｅｄ  ＣＨａｎｎｅｌ）の送信に用いられる。また、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００６１】
ＰＵＳＣＨは、ＲＲＣシグナリング、および、ＭＡＣコントロールエレメントを送信するために用いられてもよい。ここで、ＰＵＳＣＨは、上りリンクに置いてＵＥの能力（ＵＥ  Ｃａｐａｂｉｌｉｔｙ）の送信に用いられてもよい。
【００６２】
なお、ＰＤＣＣＨとＰＵＣＣＨには同一の呼称（例えばＰＣＣＨ）および同一のチャネル定義が用いられてもよいし。ＰＤＳＣＨとＰＵＳＣＨには同一の呼称（例えばＰＳＣＨ）および同一のチャネル定義が用いられてもよい。
【００６３】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルをトランスポートチャネルと称する。ＭＡＣ層で用いられるトランスポートチャネルの単位を、トランスポートブロック（ＴＢ：ｔｒａｎｓｐｏｒｔ  ｂｌｏｃｋ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）デ−タの単位である。物理層において、トランスポートブロックはコ−ドワードにマップされ、コ−ドワード毎に符号化処理が行なわれる。
【００６４】
本実施形態の無線プロトコル構造について説明する。
【００６５】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御デ−タを扱うプロトコルスタックを制御プレ−ン（ＣＰ（Ｃｏｎｔｒｏｌ−ｐｌａｎｅ、Ｃ−Ｐｌａｎｅ））プロトコルスタックと称する。
【００６６】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（ＭＡＣ層）とトランスポートチャネルで接続される。トランスポートチャネルを介して、ＭＡＣ層とＰＨＹ層とレイヤ（ｌａｙｅｒ）間でデ−タが移動する。端末装置２と基地局装置３のＰＨＹ層間において、物理チャネルを介してデ−タの送受信が行われる。
【００６７】
ＭＡＣ層は、多様な論理チャネルを多様なトランスポートチャネルにマッピングする。ＭＡＣ層は、上位の無線リンク制御層（ＲＬＣ層：Ｒａｄｉｏ  Ｌｉｎｋ  Ｃｏｎｔｒｏｌ  ｌａｙｅｒ）とは論理チャネルで接続される。論理チャネルは、伝送される情報の種類によって大きく分けられ、制御情報を伝送する制御チャネルとユ−ザ情報を伝送するトラフィックチャネルに分けられる。
【００６８】
論理チャネルの制御チャネルには、下りリンクのシステム制御情報の報知に用いられるＢＣＣＨ（Ｂｒｏａｄｃａｓｔ  Ｃｏｎｔｒｏｌ  Ｃｈａｎｎｅｌ）、下りリンクのページング情報とシステム情報変更ノーティフィケーションを転送するために用いられるＰＣＣＨ（Ｐａｇｉｎｇ  Ｃｏｎｔｒｏｌ  Ｃｈａｎｎｅｌ）、ＲＲＣ接続されていない状態の端末装置２と基地局装置３との間で制御情報を送信するために用いられるＣＣＣＨ（Ｃｏｍｍｏｎ  Ｃｏｎｔｒｏｌ  Ｃｈａｎｎｅｌ）、ＲＲＣ接続されている状態の端末装置２と基地局装置３との間で双方向に制御情報を送信するために用いられるＤＣＣＨ（Ｄｅｄｉｃａｔｅｄ  Ｃｏｎｔｒｏｌ  Ｃｈａｎｎｅｌ）などが含まれる。
【００６９】
また、ＭＡＣ層は、間欠受信（ＤＲＸ）および間欠送信（ＤＴＸ）を行うためにＰＨＹ層の制御を行う機能、ランダムアクセス手順を実行する機能、送信電力の情報を通知する機能、ＨＡＲＱ制御を行う機能などを持つ。
【００７０】
ＲＬＣ層は、上位層から受信したデ−タを分割（Ｓｅｇｍｅｎｔａｔｉｏｎ）し、下位層が適切にデ−タ送信できるようにデ−タサイズを調節する。また、ＲＬＣ層は、各デ−タが要求するＱｏＳ（Ｑｕａｌｉｔｙ  ｏｆ  Ｓｅｒｖｉｃｅ）を保証するための機能も持つ。すなわち、ＲＬＣ層は、デ−タの再送制御等の機能を持つ。
【００７１】
パケットデータコンバージェンスプロトコル層（ＰＤＣＰ層：Ｐａｃｋｅｔ  Ｄａｔａ
Ｃｏｎｖｅｒｇｅｎｃｅ  Ｐｒｏｔｏｃｏｌ  ｌａｙｅｒ）は、ユーザデータであるＩＰパケットを無線区間で効率的に伝送するために、不要な制御情報の圧縮を行うヘッダ圧縮機能を持ってもよい。また、ＰＤＣＰ層は、デ−タの暗号化の機能も持ってもよい。
【００７２】
サービスデータアダプテーションプロトコル層（ＳＤＡＰ層：Ｓｅｒｖｉｃｅ  Ｄａｔａ  Ａｄａｐｔａｔｉｏｎ  Ｐｒｏｔｏｃｏｌ  ｌａｙｅｒ）は、ＱｏＳフローと後述するＤＲＢの間のマッピング機能を持ってもよい。また、ＳＤＡＰ層は、下りリンクパケットと上りリンクパケットの両方のＱｏＳフロー識別子（ＱＦＩ：ＱｏＳ  Ｆｌｏｗ  ＩＤ）をマーキングする機能を持ってもよい。ＳＤＡＰの単一のプロトコルエンティティは、二つのエンティティが設定されうるデュアルコネクティビティを除き、各々個別のＰＤＵセッションに対して設定されてよい。
【００７３】
さらに、制御プレ−ンプロトコルスタックには、無線リソース制御層（ＲＲＣ層：Ｒａｄｉｏ  Ｒｅｓｏｕｒｃｅ  Ｃｏｎｔｒｏｌ  ｌａｙｅｒ）がある。ＲＲＣ層は、無線ベアラ（ＲＢ：Ｒａｄｉｏ  Ｂｅａｒｅｒ）の設定・再設定を行い、論理チャネル、トランスポートチャネル及び物理チャネルの制御を行う。ＲＢは、シグナリグ無線ベアラ（ＳＲＢ：Ｓｉｇｎａｌｉｎｇ  Ｒａｄｉｏ  Ｂｅａｒｅｒ）とデ−タ無線ベアラ（ＤＲＢ：Ｄａｔａ  Ｒａｄｉｏ  Ｂｅａｒｅｒ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００７４】
ＳＲＢはＲＲＣメッセージとＮＡＳメッセージを送信するために用いられる無線ベアラとして定義される。さらに、ＳＲＢは、ＣＣＣＨ論理チャネルを用いるＲＲＣメッセージのためのＳＲＢ（ＳＲＢ０）、ＤＣＣＨ論理チャネルを用いるＲＲＣメッセージとＳＲＢ２の確立よりも前に送信されるＮＡＳメッセージのためのＳＲＢ（ＳＲＢ１）、ＤＣＣＨ論理チャネルを用いるＮＡＳメッセージと記録された測定情報（Ｌｏｇｇｅｄ  ｍｅａｓｕｒｅｍｅｎｔ  ｉｎｆｏｒｍａｔｉｏｎ）などを含むＲＲＣメッセージのためのＳＲＢ（ＳＲＢ２）、が定義されてよい。また、それ以外のＳＲＢが定義されてよい。
【００７５】
ＭＲ−ＤＣにおいて、端末装置２は、マスターノードのＲＲＣとコアネットワークとの
単一のＣ−ｐｌａｎｅ接続に基づく１つのＲＲＣ状態（例えば、接続状態（ＲＲＣ＿ＣＯＮＮＥＣＴＥＤ）、アイドル状態（ＲＲＣ＿ＩＤＬＥ）、接続時のパラメータを保持したアイドル状態（ＲＲＣ＿ＩＮＡＣＴＩＶＥ）など）を持ってよい。また、ＭＲ−ＤＣにおいて、各ノード（マスターノードおよびセカンダリノード）は端末装置２に対して送られるＲＲＣ  ＰＤＵを生成可能なノード自身のＲＲＣエンティティ（無線リソース制御エンティティ、または無線制御エンティティとも称する）を持ってもよい。
【００７６】
ＭＣＧ  ＳＲＢは、マスターノードと端末装置２の間における直接のＳＲＢであり、端末装置２がマスターノードとの間のＲＲＣ  ＰＤＵ（Ｐｒｏｔｏｃｏｌ  Ｄａｔａ  Ｕｎｉｔ）を直接マスターノードと送受信するために使用されるＳＲＢである。ＭＣＧ  Ｓｐｌｉｔ  ＳＲＢは、マスターノードと端末装置２との間のＳＲＢであり、端末装置２がマスターノードとの間のＲＲＣ  ＰＤＵ（Ｐｒｏｔｏｃｏｌ  Ｄａｔａ  Ｕｎｉｔ）をマスターノードとの直接のパスとセカンダリノード経由のパスで送受信するために使用されるＳＲＢであるが、ＰＤＣＰが、ＭＣＧ側に配置されるので、本明細書では、ＭＣＧ  ＳＲＢとして説明する。すなわち、“ＭＣＧ  ＳＲＢ“は、“ＭＣＧ  ＳＲＢおよび／またはＭＣＧ  Ｓｐｌｉｔ  ＳＲＢ“と置き換えてもよい。
【００７７】
ＳＣＧ  ＳＲＢは、セカンダリノードと端末装置２の間における直接のＳＲＢであり、端末装置２がセカンダリノードとの間のＲＲＣ  ＰＤＵを直接セカンダリノードと送受信するために使用されるＳＲＢである。ＳＣＧ  Ｓｐｌｉｔ  ＳＲＢは、セカンダリノードと端末装置２との間のＳＲＢであり、端末装置２がセカンダリノードとの間のＲＲＣ  ＰＤＵ（Ｐｒｏｔｏｃｏｌ  Ｄａｔａ  Ｕｎｉｔ）をマスターノード経由のパスとセカンダリノードとの直接のパスで送受信するために使用されるＳＲＢであるが、ＰＤＣＰが、ＳＣＧ側に配置されるので、本明細書では、ＳＣＧ  ＳＲＢとして説明する。すなわち、“ＳＣＧ  ＳＲＢ“は、“ＳＣＧ  ＳＲＢおよび／またはＳＣＧ  Ｓｐｌｉｔ  ＳＲＢ“と置き換えてもよい。また、ＥＮ−ＤＣでは、ＭＣＧ  ＳＲＢとＳＣＧ  ＳＲＢとＭＣＧ  Ｓｐｌｉｔ  ＳＲＢだけが用いられてもよい。ＥＮ−ＤＣでは、ＳＣＧ  Ｓｐｌｉｔ  ＳＲＢが用いられなくてもよい。
【００７８】
また、セカンダリノードとの間のＲＲＣ  ＰＤＵが、マスターノードとの間のＲＲＣ  ＰＤＵに含まれて送られてもよい。例えば、セカンダリノードとの間のＲＲＣ  ＰＤＵが、（例えばマスターノードがマスターノード自身に対するＲＲＣメッセージとして解釈されないデータとして）マスターノードとの間のＲＲＣ  ＰＤＵに含まれてマスターノードに送信され、マスターノードは透過的に（何も変更を加えずに）そのデータをセカンダリノードに渡してもよい。また、セカンダリノードで生成されたＲＲＣ  ＰＤＵがマスターノード経由で端末装置２に転送されてもよい。マスターノードは、常にセカンダリノードの最初のＲＲＣ設定をＭＣＧ  ＳＲＢで端末装置２に送るようにしてもよい。
【００７９】
また、ＭＣＧ  ＳＲＢにはＳＲＢ０とＳＲＢ１とＳＲＢ２とが用意されてよい。また、ＳＣＧ  ＳＲＢにはＭＣＧ  ＳＲＢのＳＲＢ１および／またはＳＲＢ２に相当するＳＲＢ３が用意されてよい。ＳＲＢ０はＭＣＧ  Ｓｐｌｉｔ  ＳＲＢではサポートされないようにしてもよい。
【００８０】
ＳＣＧ  ＳＲＢでは、ＮＡＳメッセージを送ることができないようにしてもよい。ＳＣＧ  ＳＲＢでは、特定のＲＲＣメッセージ（例えばＲＲＣ接続再設定メッセージの一部あるいは全部と測定に関するメッセージ（測定報告メッセージなど）のみ）だけを送ることができるようにしてもよい。また、ＳＣＧ  ＳＲＢは、マスターノードとのコーディネーションが不要なセカンダリノードのＲＲＣ設定（および／またはＲＲＣ再設定）のためだけに用いられてもよい。
【００８１】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデ−タリンク層に対応し、ＲＲＣ層はＯＳＩモデルの第三層であるネットワーク層に対応する。
【００８２】
上記のＭＡＣ層、ＲＬＣ層、ＰＤＣＰ層及びＳＤＡＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロ−ルエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層である。また、ＲＲＣ層から見て、ＰＤＣＰ層およびＲＬＣ層も下位層である。ＲＲＣ層から見て、例えばＮＡＳ層は、上層も称する。
【００８３】
また、ネットワークと端末装置２との間で用いられるシグナリングプロトコルは、アクセス層（ＡＳ：Ａｃｃｅｓｓ  Ｓｔｒａｔｕｍ）プロトコルと非アクセス層（ＮＡＳ：Ｎｏｎ−Ａｃｃｅｓｓ  Ｓｔｒａｔｕｍ）プロトコルとに分割される。例えば、ＲＲＣ層以下のプロトコルは、端末装置２と基地局装置３との間で用いられるアクセス層プロトコルである。また、端末装置２の接続管理（ＣＭ：Ｃｏｎｎｅｃｔｉｏｎ  Ｍａｎａｇｅｍｅｎｔ）やモビリティ管理（ＭＭ：Ｍｏｂｉｌｉｔｙ  Ｍａｎａｇｅｍｅｎｔ）などのプロトコルは非アクセス層プロトコルであり、端末装置２とコアネットワーク（ＣＮ）との間で用いられる。例えば、端末装置２とモバイル管理エンティティ（ＭＭＥ：Ｍｏｂｉｌｉｔｙ  Ｍａｎａｇｅｍｅｎｔ  Ｅｎｔｉｔｙ）との間で、非アクセス層プロトコルを用いた通信が、基地局装置３を介して透過的に行われる。
【００８４】
以下、サブフレ−ムについて説明する。本実施形態ではサブフレ−ムと称するが、リソースユニット、無線フレ−ム、時間区間、時間間隔などと称されてもよい。また、１つまたは複数のサブフレ−ムが１つの無線フレ−ムを構成してもよい。
【００８５】
図４は、本発明の第１の実施形態に係る上りリンクおよび下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図４は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図４のセルの帯域幅は帯域の一部（ＢＷＰであってよい）として定義されてもよい。また、スロットは、送信時間間隔（ＴＴＩ：Ｔｒａｎｓｍｉｓｓｉｏｎ  Ｔｉｍｅ  Ｉｎｔｅｒｖａｌ）と定義されてもよい。スロットは、ＴＴＩとして定義されなくてもよい。ＴＴＩは、トランスポートブロックの送信期間であってもよい。
【００８６】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメント
のそれぞれをリソースエレメントと称する。リソースエレメントは、サブキャリアの番号とＯＦＤＭシンボルの番号とを用いて識別されてよい。
【００８７】
リソースグリッドは、ある物理下りリンクチャネル（ＰＤＳＣＨなど）あるいは上りリンクチャネル（ＰＵＳＣＨなど）のリソースエレメントのマッピングを表現するために用いられる。例えば、サブキャリア間隔が１５ｋＨｚの場合、サブフレームに含まれるＯＦＤＭシンボル数Ｘ＝１４で、ＮＣＰの場合には、１つの物理リソースブロックは、時間領域において１４個の連続するＯＦＤＭシンボルと周波数領域において１２＊Ｎｍａｘ個の連続するサブキャリアとから定義される。Ｎｍａｘは、後述するサブキャリア間隔設定μにより決定されるリソースブロックの最大数である。つまり、リソースグリッドは、（１４＊１２＊Ｎｍａｘ，μ）個のリソースエレメントから構成される。ＥＣＰ（Ｅｘｔｅｎｄｅｄ  ＣＰ）の場合、サブキャリア間隔６０ｋＨｚにおいてのみサポートされるので、１つの物理リソースブロックは、例えば、時間領域において１２（１スロットに含まれるＯＦＤＭシンボル数）＊４（１サブフレームに含まれるスロット数）＝４８個の連続するＯＦＤＭシンボルと、周波数領域において１２＊Ｎｍａｘ，μ個の連続するサブキャリアとにより定義される。つまり、リソースグリッドは、（４８＊１２＊Ｎｍａｘ，μ）個のリソースエレメントから構成される。
【００８８】
リソースブロックとして、共通リソースブロック、物理リソースブロック、仮想リソースブロックが定義される。１リソースブロックは、周波数領域で連続する１２サブキャリアとして定義される。共通リソースブロックインデックス０におけるサブキャリアインデックス０は、参照ポイントと称されてよい（ポイントＡ”と称されてもよい）。共通リソースブロックは、参照ポイントＡから各サブキャリア間隔設定μにおいて０から昇順で番号が付されるリソースブロックである。上述のリソースグリッドはこの共通リソースブロックにより定義される。物理リソースブロックは、後述する帯域部分（ＢＷＰ）の中に含まれる０から昇順で番号が付されたリソースブロックであり、物理リソースブロックは、帯域部分（ＢＷＰ）の中に含まれる０から昇順で番号が付されたリソースブロックである。ある物理上りリンクチャネルは、まず仮想リソースブロックにマップされる。その後、仮想リソースブロックは、物理リソースブロックにマップされる。
【００８９】
次に、サブキャリア間隔設定μについて説明する。上述のようにＮＲでは、複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位レイヤ（上位層）で与えられ、上りリンクのＢＷＰにおいて上位レイヤで与えられる。ここで、μが与えられると、サブキャリア間隔Δｆは、Δｆ＝２＾μ・１５（ｋＨｚ）で与えられる。
【００９０】
サブキャリア間隔設定μにおいて、スロットは、サブフレーム内で０からＮ＾｛ｓｕｂｆｒａｍｅ，μ｝＿｛ｓｌｏｔ｝−１に昇順に数えられ、フレーム内で０からＮ＾｛ｆｒａｍｅ，μ｝＿｛ｓｌｏｔ｝−１に昇順に数えられる。スロット設定およびサイクリックプレフィックスに基づいてＮ＾｛ｓｌｏｔ｝＿｛ｓｙｍｂ｝の連続するＯＦＤＭシンボルがスロット内にある。Ｎ＾｛ｓｌｏｔ｝＿｛ｓｙｍｂ｝は１４である。サブフレーム内のスロットｎ＾｛μ｝＿｛ｓ｝のスタートは、同じサブフレーム内のｎ＾｛μ｝＿｛ｓ｝  Ｎ＾｛ｓｌｏｔ｝＿｛ｓｙｍｂ｝番目のＯＦＤＭシンボルのスタートと時間でアラインされている。
【００９１】
次に、サブフレーム、スロット、ミニスロットについて説明する。図５は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサ
ブキャリア間隔により異なる。ここで、サブキャリア間隔が１５ｋＨｚの場合、１サブフレームには１４ＯＦＤＭシンボル含まれる。下りリンクスロットはＰＤＳＣＨマッピングタイプＡと称されてよい。上りリンクスロットはＰＵＳＣＨマッピングタイプＡと称されてよい。
【００９２】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。下りリンクミニスロットはＰＤＳＣＨマッピングタイプＢと称されてよい。上りリンクミニスロットはＰＵＳＣＨマッピングタイプＢと称されてよい。
【００９３】
図６は、スロットフォーマットの一例を示す図である。ここでは、サブキャリア間隔１５ｋＨｚにおいてスロット長が１ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクシンボル
・フレキシブルシンボル
・上りリンクシンボル
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００９４】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＤＣＣHを介して上りリンクのスケジ
ュ−リングを行い、ＰＤＣＣＨの処理遅延及び下りから上りの切り替え時間、送信信号の生成のためのギャップを介して上りリンク信号を送信する。図６（ｃ）は、最初の時間リソースで下りリンクのＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図６（ｄ）は、最初の時間リソースで下りリンクのＰＤＣＣＨおよび／または下りリンクのＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデ−タ、すなわちＵＬ−ＳＣＨの送信に用いられてもよい。図６（ｅ）は、全て上りリンク送信（上りリンクのＰＵＳＣＨまたはＰＵＣＣＨ）に用いられている例である。
【００９５】
上述の下りリンクパ−ト、上りリンクパ−トは、ＬＴＥと同様複数のＯＦＤＭシンボル
で構成されてよい。
【００９６】
本実施形態の端末装置２は、ランダムアクセス手順を開始（ｉｎｉｔｉａｔｅ）する前にＲＲＣ層のメッセージを介してランダムアクセス設定のための情報（ランダムアクセス設定情報）を受信する。ランダムアクセス設定のための情報には下記の情報または下記の情報を決定／設定するための情報が含まれてよい。
・ランダムアクセスプリアンブルの送信に利用可能な１つまたは複数の時間／周波数リソース（ランダムアクセスチャネル機会（ｏｃｃａｓｉｏｎ）、ＰＲＡＣＨ機会、ＲＡＣＨ機会とも称する）のセット
・１つまたは複数のランダムアクセスプリアンブルグループ
・利用可能な１つまたは複数のランダムアクセスプリアンブルあるいは前記複数のランダムアクセスプリアンブルグループにおいて利用可能な１つまたは複数のランダムアクセスプリアンブル
・ランダムアクセス応答のウィンドウサイズおよび衝突解消（Ｃｏｎｔｅｎｔｉｏｎ  Ｒｅｓｏｌｕｔｉｏｎ）タイマー（ｍａｃ−ＣｏｎｔｅｎｔｉｏｎＲｅｓｏｌｕｔｉｏｎＴｉｍｅｒ）
・パワーランピングステップ
・プリアンブル送信の最大回数
・プリアンブルの初期電力（目標受信電力であってよい）
・プリアンブルフォーマットに基づく電力オフセット
・パワーランピングの最大回数
・ＳＳ／ＰＢＣＨブロック（関連するランダムアクセスプリアンブルおよび／またはＰＲＡＣＨ機会であってもよい）の選択のための参照信号受信電力（ＲＳＲＰ）の閾値
・ＣＳＩ−ＲＳ（関連するランダムアクセスプリアンブルおよび／またはＰＲＡＣＨ機会であってもよい）の選択のための参照信号受信電力（ＲＳＲＰ）の閾値
・ＭＡＣエンティティがランダムアクセスプリアンブルを送信するＳＳ／ＰＢＣＨブロックに割り当てられたＰＲＡＣＨ機会を決定するための情報
・各ＰＲＡＣＨ機会にマップされるＳＳ／ＰＢＣＨブロックの数を示すパラメータ
・各ＳＳ／ＰＢＣＨブロックにマップされるランダムアクセスプリアンブルの数
・各ＳＳ／ＰＢＣＨブロックのためのランダムアクスプリアンブルグループＡ内のランダムアクセスプリアンブルの数
・ビーム失敗リカバリ要求のためのランダムアクスプリアンブルおよび／またはＰＲＡＣＨ機会のセット
【００９７】
ただし、ランダムアクセス設定情報には、セル内で共通の情報（セル特有の情報、または共通設定情報とも称する）が含まれてもよく、端末装置毎に異なる専用（ｄｅｄｉｃａｔｅｄ）の情報（ＵＥ特有の情報とも称する）が含まれてもよい。
【００９８】
ランダムアクセス設定情報の一部は、ある時間区間内の全てのＳＳ／ＰＢＣＨブロックに関連付けられてもよい。ランダムアクセス設定情報の一部は設定された１つまたは複数のＣＳＩ−ＲＳの全てに関連付けられてもよい。ランダムアクセス設定情報の一部は１つの下りリンク送信ビーム（あるいはビームインデックス）に関連付けられてもよい。
【００９９】
ランダムアクセス設定情報の一部はある時間区間内の１つのＳＳ／ＰＢＣＨブロックに関連付けられてもよい。ランダムアクセス設定情報の一部は設定された１つまたは複数のＣＳＩ−ＲＳのうちの１つに関連付けられてもよい。ランダムアクセス設定情報の一部は１つの下りリンク送信ビーム（あるいはビームインデックス）に関連付けられてもよい。１つのＳＳ／ＰＢＣＨブロック、１つのＣＳＩ−ＲＳ、および／または１つの下りリンク送信ビームに関連付けられた情報には、対応する１つのＳＳ／ＰＢＣＨブロック、１つのＣＳＩ−ＲＳ、および／または１つの下りリンク送信ビームを特定するためのインデック
ス情報（例えば、ＳＳＢインデックス、ビームインデックス、あるいはＱＣＬ設定インデックスであってよい）が含まれてもよい。
【０１００】
ただし、ある時間区間内のＳＳ／ＰＢＣＨブロック毎にランダムアクセス設定情報が設定されてもよいし、ある時間区間内の全てのＳＳ／ＰＢＣＨブロックで共通の１つのランダムアクセス設定情報が設定されてもよい。端末装置２は、下りリンク信号によって１つまたは複数のランダムアクセス設定情報を受信し、該１つまたは複数のランダムアクセス設定情報のそれぞれがＳＳ／ＰＢＣＨブロック（ＣＳＩ−ＲＳまたは下りリンク送信ビームであってもよい）に関連付けられてもよい。端末装置２は、受信した１つまたは複数のＳＳ／ＰＢＣＨブロック（ＣＳＩ−ＲＳまたは下りリンク送信ビームであってもよい）のうちの１つを選択し、選択したＳＳ／ＰＢＣＨブロックに関連付けられたランダムアクセス設定情報を用いてランダムアクセス手順を行なってもよい。
【０１０１】
ランダムアクセスプリアンブルの送信に利用可能な１つまたは複数のＰＲＡＣＨ機会のセットは、ＲＲＣ層から提供されるパラメータｐｒａｃｈ−ＣｏｎｆｉｇＩｎｄｅｘで特定されてよい。ｐｒａｃｈ−ＣｏｎｆｉｇＩｎｄｅｘで与えられるＰＲＡＣＨ設定（物理ランダムアクセスチャネル設定）インデックスと、予め定められたテーブル（ランダムアクセスチャネル設定（ＰＲＡＣＨ  ｃｏｎｆｉｇ）テーブルとも称される）に従い、ランダムアクセスプリアンブルの送信に利用可能な１つまたは複数のＰＲＡＣＨ機会のセットが特定される。ただし、特定される１つまたは複数のＰＲＡＣＨ機会は、基地局装置３が送信する１つまたは複数のＳＳ／ＰＢＣＨブロックのそれぞれに関連付けられるＰＲＡＣＨ機会の集合であってよい。
【０１０２】
ＰＲＡＣＨ設定インデックスは、ランダムアクセス設定テーブルに示されるＰＲＡＣＨ機会のセットが時間的に繰り返される周期（ＰＲＡＣＨ設定周期（物理ランダムアクセスチャネル設定周期：ＰＲＡＣＨ  ｃｏｎｆｉｇｕｒａｔｉｏｎ  ｐｅｒｉｏｄ））、ランダムアクセスプリアンブルを送信可能なサブキャリアインデックス、リソースブロックインデックス、サブフレーム番号、スロット番号、システムフレーム番号、シンボル番号、および／または、プリアンブルのフォーマットの設定に用いられてもよい。
【０１０３】
ただし、各ＰＲＡＣＨ機会にマップされるＳＳ／ＰＢＣＨブロックの数は、ＲＲＣ層から提供されるパラメータｓｓｂ−ｐｅｒＲＡＣＨ−Ｏｃｃａｓｉｏｎで示されてよい。ｓｓｂ−ｐｅｒＲＡＣＨ−Ｏｃｃａｓｉｏｎが１より小さい値である場合は、連続する複数のＰＲＡＣＨ機会に対して１つのＳＳ／ＰＢＣＨブロックがマップされる。
【０１０４】
ただし、各ＳＳ／ＰＢＣＨブロックにマップされるランダムアクセスプリアンブルの数は、ＲＲＣ層から提供されるパラメータｃｂ−ｐｒｅａｍｂｌｅＰｅｒＳＳＢで示されてよい。各ＰＲＡＣＨ機会で各ＳＳ／ＰＢＣＨブロックにマップされるランダムアクセスプリアンブルの数は、ｓｓｂ−ｐｅｒＲＡＣＨ−Ｏｃｃａｓｉｏｎとｃｂ−ｐｒｅａｍｂｌｅＰｅｒＳＳＢから算出されてよい。各ＰＲＡＣＨ機会で各ＳＳ／ＰＢＣＨブロックにマップされるランダムアクセスプリアンブルのインデックスは、ｓｓｂ−ｐｅｒＲＡＣＨ−Ｏｃｃａｓｉｏｎ、ｃｂ−ｐｒｅａｍｂｌｅＰｅｒＳＳＢ、および、ＳＳＢインデックスから特定されてよい。
【０１０５】
ＰＲＡＣＨ機会に対して、ＳＳＢインデックスは下記のルールでマップされてよい。
（１）１番目に、１つのＰＲＡＣＨ機会でプリアンブルインデックスの昇順でマップされる。例えば、ＰＲＡＣＨ機会のプリアンブル数が６４であり、各ＰＲＡＣＨ機会で各ＳＳ／ＰＢＣＨブロックにマップされるランダムアクセスプリアンブルの数が３２である場合に、あるＰＲＡＣＨ機会にマップされるＳＳＢインデックスはｎとｎ＋１となる。
（２）２番目に、周波数多重された複数のＰＲＡＣＨ機会に対して周波数リソースインデ
ックスの昇順でマップされる。例えば、２つのＰＲＡＣＨ機会が周波数多重されており、周波数リソースインデックスの小さいＰＲＡＣＨ機会にマップされるＳＳＢインデックスがｎとｎ＋１である場合、周波数リソースインデックスの大きいＰＲＡＣＨ機会にマップされるＳＳＢインデックスはｎ＋２とｎ＋３となる。
（３）３番目に、ＰＲＡＣＨスロット内で時間多重された複数のＰＲＡＣＨ機会に対して時間リソースインデックスの昇順でマップされる。例えば、上記（２）の例に加えてＰＲＡＣＨスロット内で時間方向に更に２つのＰＲＡＣＨ機会が多重されている場合、これらのＰＲＡＣＨ機会にマップされるＳＳＢインデックスはｎ＋４、ｎ＋５およびｎ＋６、ｎ＋７となる。
（４）４番目に、複数のＰＲＡＣＨスロットに対しインデックスの昇順でマップされる。例えば、上記（３）の例に加えて次のＰＲＡＣＨスロットにＲＡＣＨ機会が存在する場合に、マップされるＳＳＢインデックスはｎ＋８、ｎ＋９、…となる。ただし、上記の例において、ｎ＋ｘが、ＳＳＢインデックスの最大値より大きくなった場合には、ＳＳＢインデックスの値は０に戻る。
【０１０６】
ランダムアクセス手順には、競合ベースランダムアクセス（Ｃｏｎｔｅｎｔｉｏｎ  ｂａｓｅｄ  Ｒａｎｄｏｍ  Ａｃｃｅｓｓ）手順と非競合ベースランダムアクセス（Ｎｏｎーｃｏｎｔｅｎｔｉｏｎ  ｂａｓｅｄ  Ｒａｎｄｏｍ  Ａｃｃｅｓｓ、Ｃｏｎｔｅｎｔｉｏｎ  Ｆｒｅｅ  Ｒａｎｄｏｍ  Ａｃｃｅｓｓとも称する）手順の２つのアクセス手順がある。
【０１０７】
競合ベースランダムアクセス手順は、端末装置２間で衝突する可能性のあるランダムアクセス手順であり、例えば、基地局装置３と接続（通信）していない状態からの初期アクセス時や基地局装置３と接続中であるが、上りリンク同期が外れている状態で移動局装置に上りリンクデータ送信が発生した場合のスケジューリングリクエストなどに用いられてよい。
【０１０８】
非競合ベースランダムアクセス手順は、端末装置２間で衝突が発生しないランダムアクセス手順であり、例えば、基地局装置３と端末装置２が接続中であるが、上りリンクの同期が外れている場合に端末装置２と基地局装置３との間の上りリンク同期をとるために同期処理を伴うＲＲＣ再設定や端末装置２の送信タイミングが有効でない場合等に基地局装置３から指示されて端末装置２がランダムアクセス手順を行なう場合などに用いられてよい。
【０１０９】
競合ベースランダムアクセス手順の概要を説明する。まず、端末装置２がランダムアクセスプリアンブルを基地局装置３に送信する（メッセージ１：（１））。そして、ランダムアクセスプリアンブルを受信した基地局装置３が、ランダムアクセスプリアンブルに対する応答（ランダムアクセスレスポンス）を端末装置２に送信する（メッセージ２：（２））。端末装置２がランダムアクセスレスポンスに含まれているスケジューリング情報を元に上位レイヤ（Ｌａｙｅｒ２／Ｌａｙｅｒ３）のメッセージを送信する（メッセージ３：（３））。基地局装置３は、（３）の上位レイヤメッセージを受信できた端末装置２に衝突確認メッセージを送信する（メッセージ４：（４））。なお、競合ベースランダムアクセスをランダムプリアンブル送信とも称する。
【０１１０】
次に、非競合ベースランダムアクセス手順の概要に説明する。まず、基地局装置３は、端末装置２に割り当てるＳＳ／ＰＢＣＨブロックのインデックスとランダムアクセスプリアンブルのインデックスを示す情報をセットとして、一つまたは複数の前記セット、およびその他の情報を端末装置２に通知する（メッセージ０：（１）’）。端末装置２は、指定されたパラメータに基づきランダムアクセスプリアンブルを送信する（メッセージ１：（２）’）。そして、ランダムアクセスプリアンブルを受信した基地局装置３が、ランダ
ムアクセスプリアンブルに対する応答（ランダムアクセスレスポンス）を端末装置２に送信する（メッセージ２：（３）’）。なお、非競合ベースランダムアクセス手順を専用プリアンブル送信とも称する。
【０１１１】
サーチスペースはＰＤＣＣＨ候補（ＰＤＣＣＨ  ｃａｎｄｉｄａｔｅｓ）をサーチするために定義される。サーチスペースの設定情報に含まれるｓｅａｒｃｈＳｐａｃｅＴｙｐｅは、該サーチスペースがコモンサーチスペース（Ｃｏｍｍｏｎ  Ｓｅａｒｃｈ  Ｓｐａｃｅ，ＣＳＳ）であるかＵＥ固有サーチスペース（ＵＥ−ｓｐｅｃｉｆｉｃ  Ｓｅａｒｃｈ  Ｓｐａｃｅ，ＵＳＳ）であるかを示す。ＵＥ固有サーチスペースは、少なくとも、端末装置２がセットしているＣ−ＲＮＴＩの値から導き出される。すなわち、ＵＥ固有サーチスペースは、端末装置２毎に個別に導き出される。コモンサーチスペースは、複数の端末装置２の間で共通のサーチスペースであり、予め定められたインデックスのＣＣＥ（Ｃｏｎｔｒｏｌ  Ｃｈａｎｎｅｌ  Ｅｌｅｍｅｎｔ）から構成される。ＣＣＥは、複数のリソースエレメントから構成される。サーチスペースの設定情報には、該サーチスペースでモニタされるＤＣＩフォーマットの情報が含まれる。
【０１１２】
サーチスペースの設定情報には、コントロールリソースセット（ＣＯＲＥＳＥＴ，Ｃｏｎｔｒｏｌ  ｒｅｓｏｕｒｃｅ ｓｅｔ）の設定情報で特定されるＣＯＲＥＳＥＴの識別
子が含まれる。ＣＯＲＥＳＥＴは下りリンク制御情報をサーチするための時間および周波数リソースである。ＣＯＲＥＳＥＴの設定情報には、ＣＯＲＥＳＥＴの識別子（ＣｏｎｔｒｏｌＲｅｓｏｕｒｃｅＳｅｔＩｄ、ＣＯＲＥＳＥＴ−ＩＤ）とＣＯＲＥＳＥＴの周波数リソースを特定する情報が含まれる。サーチスペースの設定情報の中に含まれるＣＯＲＥＳＥＴの識別子で特定されるＣＯＲＥＳＥＴは、該サーチスペースと関連付けられる。言い換えると、該サーチスペースに関連付けられるＣＯＲＥＳＥＴは、該サーチスペースに含まれるＣＯＲＥＳＥＴの識別子で特定するＣＯＲＥＳＥＴである。該サーチスペースの設定情報で示されるＤＣＩフォーマットは、関連付けられるＣＯＲＥＳＥＴでモニタされる。各サーチスペースは一つのＣＯＲＥＳＥＴに関連付けられる。例えば、ランダムアクセス手順のためのサーチスペースの設定情報はｒａ−ＳｅａｒｃｈＳｐａｃｅによって設定されてもよい。即ち、ｒａ−ＳｅａｒｃｈＳｐａｃｅと関連付けられるＣＯＲＥＳＥＴでＲＡ−ＲＮＴＩまたはＴＣ−ＲＮＴＩによってスクランブルされるＣＲＣが付加されたＤＣＩフォーマットがモニタされる。
【０１１３】
端末装置２は、ＰＤＣＣＨをモニタリングするように設定されているそれぞれのアクティブなサービングセルに配置される、一つまたは複数のＣＯＲＥＳＥＴにおいて、ＰＤＣＣＨの候補のセットをモニタする。ＰＤＣＣＨの候補のセットは、一つまたは複数のサーチスペースセットに対応している。モニタリングすることは、モニタされる一つまたは複数のＤＣＩフォーマットに応じてそれぞれのＰＤＣＣＨの候補をデコードすることを意味する。端末装置２がモニタするＰＤＣＣＨの候補のセットは、ＰＤＣＣＨサーチスペースセット（ＰＤＣＣＨ  ｓｅａｒｃｈ  ｓｐａｃｅ  ｓｅｔｓ）で定義される。一つのサーチスペースセットは、コモンサーチスペースセットまたはＵＥ固有サーチスペースセットである。上記では、サーチスペースセットをサーチスペース、コモンサーチスペースセットをコモンサーチスペース、ＵＥ固有サーチスペースセットをＵＥ固有サーチスペースと称している。端末装置２は、一つまたは複数の以下のサーチスペースセットでＰＤＣＣＨ候補をモニタする。
・タイプ０−ＰＤＣＣＨコモンサーチスペースセット（ａ  Ｔｙｐｅ０−ＰＤＣＣＨ  ｃｏｍｍｏｎ  ｓｅａｒｃｈ  ｓｐａｃｅ  ｓｅｔ）：このサーチスペースセットは、ＭＩＢで示されるサーチスペースゼロ（ｓｅａｒｃｈＳｐａｃｅＺｅｒｏ）またはＰＤＣＣＨ−ＣｏｎｆｉｇＣｏｍｍｏｎで示されるサーチスペースＳＩＢ１(ｓｅａｒｃｈＳｐａｃ
ｅＳＩＢ１）によって設定される。このサーチスペースは、プライマリセルにおけるＳＩ−ＲＮＲＩでスクランブルされたＣＲＣのＤＣＩフォーマットのモニタリングのためのも
のである。
・タイプ０Ａ−ＰＤＣＣＨコモンサーチスペースセット：このサーチスペースセットは、ＲＲＣ層のパラメータである、ＰＤＣＣＨ−ＣｏｎｆｉｇＣｏｍｍｏｎで示されるサーチスペースＯＳＩ(ｓｅａｒｃｈＳｐａｃｅ−ＯＳＩ）によって設定される。このサーチス
ペースは、プライマリセルにおけるＳＩ−ＲＮＲＩでスクランブルされたＣＲＣのＤＣＩフォーマットのモニタリングのためのものである。
・タイプ１−ＰＤＣＣＨコモンサーチスペースセット：このサーチスペースセットは、ＲＲＣ層のパラメータである、ＰＤＣＣＨ−ＣｏｎｆｉｇＣｏｍｍｏｎで示されるランダムアクセス手順のためのサーチスペース(ｒａ−ＳｅａｒｃｈＳｐａｃｅ）によって設定さ
れる。このサーチスペースは、プライマリセルにおけるＲＡ−ＲＮＲＩまたはＴＣ−ＲＮＴＩでスクランブルされたＣＲＣのＤＣＩフォーマットのモニタリングのためのものである。
・タイプ２−ＰＤＣＣＨコモンサーチスペースセット：このサーチスペースセットは、ＲＲＣ層のパラメータである、ＰＤＣＣＨ−ＣｏｎｆｉｇＣｏｍｍｏｎで示されるページング手順のためのサーチスペース(ｐａｇｉｎｇＳｅａｒｃｈＳｐａｃｅ）によって設定さ
れる。このサーチスペースは、プライマリセルにおけるＰ−ＲＮＴＩでスクランブルされたＣＲＣのＤＣＩフォーマットのモニタリングのためのものである。
・タイプ３−ＰＤＣＣＨコモンサーチスペースセット：このサーチスペースセットは、ＲＲＣ層のパラメータである、ＰＤＣＣＨ−Ｃｏｎｆｉｇで示されるサーチスペースタイプがコモンのサーチスペース(ＳｅａｒｃｈＳｐａｃｅ）によって設定される。このサーチ
スペースは、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、またはＴＰＣ−ＳＲＳ−ＲＮＴＩでスクランブルされたＣＲＣのＤＣＩフォーマットのモニタリングのためのものである。プライマリライセルに対しては、Ｃ−ＲＮＴＩ、またはＣＳ−ＲＮＴＩ（ｓ）でスクランブルされたＣＲＣのＤＣＩフォーマットのモニタリングのためのものである。
・ＵＥ固有（ＵＥ特有）サーチスペースセット（ａ  ＵＥ−ｓｐｅｃｉｆｉｃ  ｓｅａｒｃｈ  ｓｐａｃｅ  ｓｅｔ）：このサーチスペースセットは、ＲＲＣ層のパラメータである、ＰＤＣＣＨ−Ｃｏｎｆｉｇで示されるサーチスペースタイプがＵＥ固有（ＵＥ特有）のサーチスペース(ＳｅａｒｃｈＳｐａｃｅ）によって設定される。このサーチスペース
は、Ｃ−ＲＮＴＩ、またはＣＳ−ＲＮＴＩ（ｓ）でスクランブルされたＣＲＣのＤＣＩフォーマットのモニタリングのためのものである。
【０１１４】
ＳＳ／ＰＢＣＨブロックの配置について説明する。
【０１１５】
ＳＳ／ＰＢＣＨブロックは、例えば下りリンクビームフォーミングによりビーム毎に異なる時間位置で基地局装置３から送信される。ある時間区間（バースト、例えばフレームの半分であるハーフフレーム）の中で異なる時間位置で送信されるＳＳ／ＰＢＣＨブロックのそれぞれは、時間位置に対応付けられたインデックスによって識別される。端末装置２は、実際にＳＳ／ＰＢＣＨブロックが送信される時間位置および／または実際にＳＳ／ＰＢＣＨブロックが送信される数に基づいた様々な処理を行う。例えば、端末装置２は、実際にＳＳ／ＰＢＣＨブロックが送信される時間位置のＳＳ／ＰＢＣＨブロックリソースで他の信号および／またはデータが送信されることを想定しなくてよい。また、端末装置２は、実際にＳＳ／ＰＢＣＨブロックが送信される数に基づいて、ランダムアクセスプリアンブルを送信するための時間および周波数リソース（ランダムアクセス機会）を想定（認識）する。
【０１１６】
なお、端末装置２は、「実際にＳＳ／ＰＢＣＨブロックが送信される時間位置」を、基地局装置３から通知されるパラメータ（ｓｓｂ−ＰｏｓｉｔｉｏｎｓＩｎＢｕｒｓｔ）に基づき想定（認識）する。そのため、基地局装置３が実際に送信するＳＳ／ＰＢＣＨブロックの時間位置と、前記パラメータによって端末装置２が想定（認識）する「実際にＳＳ
／ＰＢＣＨブロックが送信される時間位置」とは必ずしも一致しない。この場合、基地局装置３は、端末装置２が何れの「実際にＳＳ／ＰＢＣＨブロックが送信される時間位置」を想定（認識）して動作しているかを考慮した制御を行う必要がある。
【０１１７】
ｓｓｂ−ＰｏｓｉｔｉｏｎｓＩｎＢｕｒｓｔは、論理チャネルＢＣＣＨによって報知されるシステム情報に含まれる。また、ｓｓｂ−ＰｏｓｉｔｉｏｎｓＩｎＢｕｒｓｔは、各端末装置２に対して個別に論理チャネルＤＣＣＨによって通知される再設定メッセージ（ＲＲＣ再設定メッセージ）にも含まれてよい。現状では、ｓｓｂ−ＰｏｓｉｔｉｏｎｓＩｎＢｕｒｓｔは、同期処理を伴う再設定メッセージに含まれる。
【０１１８】
図７から図９は同期処理を伴う再設定メッセージの一例を示す図である。再設定メッセージ（ＲＲＣＲｅｃｏｎｆｉｇｕｒａｔｉｏｎメッセージ）には、無線ベアラの設定情報（ｒａｄｉｏＢｅａｒｅｒＣｏｎｆｉｇ）、セカンダリセルグループのセルグループ設定情報（ｓｅｃｏｎｄａｒｙＣｅｌｌＧｒｏｕｐ）、測定に関する設定情報（ｍｅａｓＣｏｎｆｉｇ）、マスターセルグループのセルグループ設定情報（ｍａｓｔｅｒＣｅｌｌＧｒｏｕｐ）、の一部あるいは全部が含まれてよい。
【０１１９】
図８に示すセルグループ設定情報には、セルグループを識別する識別子（ｃｅｌｌＧｒｏｕｐＩｄ）、ＲＬＣ層のベアラ設定を追加および／または変更するための情報（ｒｌｃ−ＢｅａｒｅｒＴｏＡｄｄＭｏｄＬｉｓｔ）、ＲＬＣ層のベアラ設定を解放するための情報（ｒｌｃ−ＢｅａｒｅｒＴｏＲｅｌｅａｓｅＬｉｓｔ）、セルグループのＭＡＣ層設定（ｍａｃ−ＣｅｌｌＧｒｏｕｐＣｏｎｆｉｇ）、セルグループの物理層設定（ｐｈｙｓｉｃａｌＣｅｌｌＧｒｏｕｐＣｏｎｆｉｇ）、ＳｐＣｅｌｌ（ＭＣＧにおけるＰＣｅｌｌおよびＳＣＧにおけるＰＳＣｅｌｌ）の設定情報（ｓｐＣｅｌｌＣｏｎｆｉｇ）、セカンダリセルを追加および／または変更するための情報（ｓＣｅｌｌＴｏＡｄｄＭｏｄＬｉｓｔ）、セカンダリセルを解放するための情報（ｓＣｅｌｌＴｏＲｅｌｅａｓｅＬｉｓｔ）、の一部あるいは全部が含まれてよい。
【０１２０】
図９に示すＳｐＣｅｌｌの設定情報には、サービングセルの識別子（ｓｅｒｖＣｅｌｌＩｎｄｅｘ）、同期処理を伴う再設定のための情報（ｒｅｃｏｎｆｉｇｕｒａｔｉｏｎＷｉｔｈＳｙｎｃ）、ＳｐＣｅｌｌのＵＥ特有設定情報（ｓｐＣｅｌｌＣｏｎｆｉｇＤｅｄｉｃａｔｅｄ）、の一部あるいは全部が含まれてよい。
【０１２１】
同期処理を伴う再設定のための情報には、ＳｐＣｅｌｌの共通設定情報（ｓｐＣｅｌｌＣｏｎｆｉｇＣｏｍｍｏｎ）、新しい端末識別子情報（ｎｅｗＵＥ−Ｉｄｅｎｔｉｔｙ）、タイマー情報（ｔ３０４）、ランダムアクセスに用いられるＵＥ特有設定情報（ｒａｃｈ−ＣｏｎｆｉｇＤｅｄｉｃａｔｅｄ）、の一部あるいは全部が含まれてよい。
【０１２２】
ランダムアクセスに用いられるＵＥ特有設定情報には、非競合ベースランダムアクセス（コンテンションフリーランダムアクセスとも称する）に関する設定が含まれてもよい。コンテンションフリーランダムアクセスに関する設定には、機会（Ｏｃｃａｓｉｏｎ）に関する情報が含まれてもよく、機会に関する情報には、パラメータｓｓｂ−ｐｅｒＲＡＣＨ−Ｏｃｃａｓｉｏｎが含まれてよい。ｓｓｂ−ｐｅｒＲＡＣＨ−Ｏｃｃａｓｉｏｎは、各ＰＲＡＣＨ機会にマップされるＳＳ／ＰＢＣＨブロックの数および各ＰＲＡＣＨ機会で各ＳＳ／ＰＢＣＨブロックにマップされるランダムアクセスプリアンブルの数を求めるためなどに用いられる。
【０１２３】
図１０に示すように、ＳｐＣｅｌｌの共通設定情報であるｓｅｒｖｉｎｇＣｅｌｌＣｏｎｆｉｇＣｏｍｍｏｎには物理セル識別子情報（ｐｈｙｓＣｅｌｌＩｄ）、下りリンク共通設定情報（ｄｏｗｎｌｉｎｋＣｏｎｆｉｇＣｏｍｍｏｎ）、上りリンク共通設定情報（
ｕｐｌｉｎｋＣｏｎｆｉｇＣｏｍｍｏｎ）、パラメータｓｓｂ−ＰｏｓｉｔｉｏｎｓＩｎＢｕｒｓｔ、ｓｓｂ−ＰｏｓｉｔｉｏｎｓＩｎＢｕｒｓｔでＳＳ／ＰＢＣＨブロックが送信される時間位置が指定される時間区間（例えばフレームの半分であるハーフフレーム）が何れの周期で繰り返されるかを示す情報（ｓｓｂ−ｐｅｒｉｏｄｉｃｉｔｙＳｅｒｖｉｎｇＣｅｌｌ）、の一部あるいは全部が含まれてよい。また、上りリンク共通設定情報には、ランダムアクセスに用いられる共通設定情報（ｒａｃｈ−ＣｏｎｆｉｇＣｏｍｍｏｎ）が含まれてよい。ランダムアクセスに用いられる共通設定情報には、競合ベースランダムアクセス（コンテンションベースランダムアクセスとも称する）に関する設定が含まれてもよい。コンテンションベースランダムアクセスに関する設定には、パラメータｓｓｂ−ｐｅｒＲＡＣＨ−Ｏｃｃａｓｉｏｎおよびパラメータｃｂ−ｐｒｅａｍｂｌｅｓ−ｐｅｒ−ＳＳＢを同定する情報が含まれてよい。ｓｓｂ−ｐｅｒＲＡＣＨ−Ｏｃｃａｓｉｏｎは、各ＰＲＡＣＨ機会にマップされるＳＳ／ＰＢＣＨブロックの数および各ＰＲＡＣＨ機会で各ＳＳ／ＰＢＣＨブロックにマップされるランダムアクセスプリアンブルの数を求めるためなどに用いられる。
【０１２４】
ｓｓｂ−ＰｏｓｉｔｉｏｎｓＩｎＢｕｒｓｔはビットマップで構成されており、このビットマップを用いてある時間区間における「実際にＳＳ／ＰＢＣＨブロックが送信される時間位置」が示される。
【０１２５】
具体的には、ある時間区間（フレームの半分、ハーフフレーム）におけるＳＳ／ＰＢＣＨブロックが送信される時間位置の候補が下記のケースＡからケースＥによって決定される。なお、ハーフフレームのＯＦＤＭシンボルごとにインデックスが振られ、ハーフフレームの最初のスロットの最初のシンボルがインデックス０に対応する。
【０１２６】
ケースＡ：１５ｋＨｚのサブキャリア間隔で、ＳＳ／ＰＢＣＨブロックが送信される候補はインデックス｛２，８｝＋１４＊ｎ（キャリア周波数が３ＧＨｚ以下のときｎ＝０，１。キャリア周波数が３ＧＨｚより大きく６ＧＨｚ以下のときｎ＝０，１，２，３）
【０１２７】
ケースＢ：３０ｋＨｚのサブキャリア間隔で、ＳＳ／ＰＢＣＨブロックが送信される候補はインデックス｛４，８，１６，２０｝＋２８＊ｎ（キャリア周波数が３ＧＨｚ以下のときｎ＝０。キャリア周波数が３ＧＨｚより大きく６ＧＨｚ以下のときｎ＝０，１）
【０１２８】
ケースＣ：３０ｋＨｚのサブキャリア間隔で、ＳＳ／ＰＢＣＨブロックが送信される候補はインデックス｛２，８｝＋１４＊ｎ（キャリア周波数が３ＧＨｚ以下のときｎ＝０，１。キャリア周波数が３ＧＨｚより大きく６ＧＨｚ以下のときｎ＝０，１，２，３）
【０１２９】
ケースＤ：１２０ｋＨｚのサブキャリア間隔で、ＳＳ／ＰＢＣＨブロックが送信される候補はインデックス｛４，８，１６，２０｝＋２８＊ｎ（キャリア周波数が６ＧＨｚより大きいときｎ＝０，１，２，３，５，６，７，８，１０，１１，１２，１３，１５，１６，１７，１８）
【０１３０】
ケースＥ：２４０ｋＨｚのサブキャリア間隔で、ＳＳ／ＰＢＣＨブロックが送信される候補はインデックス｛８，１２，１６，２０，３２，３６，４０，４４｝＋５６＊ｎ（キャリア周波数が６ＧＨｚより大きいときｎ＝０，１，２，３，５，６，７，８）
【０１３１】
上記ケースによると、ある時間区間においてＳＳ／ＰＢＣＨブロックが送信されるインデックスの候補は、キャリア周波数が３ＧＨｚ以下のときに４つ、キャリア周波数が３ＧＨｚより大きく６ＧＨｚ以下のときに８つ、キャリア周波数が６ＧＨｚより大きいときに６４こであることから、ある時間区間における「実際にＳＳ／ＰＢＣＨブロックが送信される時間位置」を表すために必要なビットマップのビット数は、キャリア周波数が３ＧＨ
ｚ以下のときに４ビット、キャリア周波数が３ＧＨｚより大きく６ＧＨｚ以下のときに８ビット、キャリア周波数が６ＧＨｚより大きいときに６４ビットとなる。
【０１３２】
このため、同期処理を伴う再設定メッセージに含まれるｓｓｂ−ＰｏｓｉｔｉｏｎｓＩｎＢｕｒｓｔは、４ビット、８ビット、または６４ビットの何れかのビットマップで構成される。これを第１のビットマップ構成と称する。例えば、サブキャリア間隔が１５ｋＨｚの場合、４ビットのビットマップによって、インデックス２，８，１６，２２の何れのインデックスでＳＳ／ＰＢＣＨブロックが実際に送信されるかを示すことができる。例えば、ビットマップが０１１０のときにインデックス８，１６の時間位置でＳＳ／ＰＢＣＨブロックが実際に送信されることが示される。
【０１３３】
図１１はシステム情報（ＳＩＢ１）の一例を示す図である。ＳＩＢ１には、セル選択の評価に用いる情報（ｃｅｌｌＳｅｌｅｃｔｉｏｎＩｎｆｏ）、セルアクセスに関する情報（ｃｅｌｌＡｃｃｅｓｓＲｅｌａｔｅｄＩｎｆｏ）、サービングセル（ＰＣｅｌｌ）の設定情報（ｓｅｒｖｉｎｇＣｅｌｌＣｏｎｆｉｇＣｏｍｍｏｎ）、システム情報のスケジュール情報（ｓｉ−ＳｃｈｅｄｕｌｉｎｇＩｎｆｏ）、アクセス禁止に関する情報（ｕａｃ−ＢａｒｒｉｎｇＩｎｆｏ）、の一部あるいは全部が含まれる。サービングセル（ＰＣｅｌｌ）の設定情報（ｓｅｒｖｉｎｇＣｅｌｌＣｏｎｆｉｇＣｏｍｍｏｎ）には下りリンク設定情報、上りリンク設定情報、ｓｓｂ−ＰｏｓｉｔｉｏｎｓＩｎＢｕｒｓｔ、ｓｓｂ−ＰｏｓｉｔｉｏｎｓＩｎＢｕｒｓｔでＳＳ／ＰＢＣＨブロックが送信される時間位置が指定される時間区間（バースト）が何れの周期で繰り返されるかを示す情報（ｓｓｂ−ｐｅｒｉｏｄｉｃｉｔｙＳｅｒｖｉｎｇＣｅｌｌ）、の一部あるいは全部が含まれてよい。
【０１３４】
ＳＩＢ１に含まれるｓｓｂ−ＰｏｓｉｔｉｏｎｓＩｎＢｕｒｓｔは１つまたは２つの８ビットのビットマップで構成されており、このビットマップを用いてある時間区間における「実際にＳＳ／ＰＢＣＨブロックが送信される時間位置」が示される。
【０１３５】
例えば、キャリア周波数が３ＧＨｚ以下のときには図１２の８ビットのビットマップ＃１（ｉｎＯｎｅＧｒｏｕｐ）のうち４ビットを用いて、ある時間区間における「実際にＳＳ／ＰＢＣＨブロックが送信される時間位置」が示される。キャリア周波数が３ＧＨｚより大きく６ＧＨｚ以下のときには８ビットのビットマップ＃１（ｉｎＯｎｅＧｒｏｕｐ）を用いて、ある時間区間における「実際にＳＳ／ＰＢＣＨブロックが送信される時間位置」が示される。キャリア周波数が６ＧＨｚより大きいときには、８ビットのビットマップ＃１（ｉｎＯｎｅＧｒｏｕｐ）と８ビットのビットマップ＃２（ｇｒｏｕｐＰｒｅｓｅｎｃｅ）を組み合わせて６４ビットの情報として、ある時間区間における「実際にＳＳ／ＰＢＣＨブロックが送信される時間位置」が示される。これを第２のビットマップ構成と称する。ＳＩＢ１のｓｓｂ−ＰｏｓｉｔｉｏｎｓＩｎＢｕｒｓｔ（第２のビットマップ構成）を再設定メッセージのｓｓｂ−ＰｏｓｉｔｉｏｎｓＩｎＢｕｒｓｔ（第１のビットマップ構成）と異なる構成にすることにより、ＳＩＢ１のサイズを削減して報知する情報を削減することができる。このため、再設定メッセージのｓｓｂ−ＰｏｓｉｔｉｏｎｓＩｎＢｕｒｓｔ（第１のビットマップ構成）では表すことができるが、ＳＩＢ１のｓｓｂ−ＰｏｓｉｔｉｏｎｓＩｎＢｕｒｓｔ（第２のビットマップ構成）では表すことができないインデックスの組み合わせが存在する。
【０１３６】
システム情報の修正（更新）について説明する。
【０１３７】
端末装置２は、（Ａ）セルを選択したとき、（Ｂ）セルを再選択したとき、（Ｃ）圏外から戻ったとき、（Ｄ）同期処理を伴う再設定が完了したとき、（Ｅ）別のＲＡＴからＮＲ−ＲＡＮに入ったとき、（Ｆ）システム情報が変更されたことを示す情報を受信したとき、（Ｇ）ＰＷＳ（Ｐｕｂｌｉｃ  Ｗａｒｎｉｎｇ  Ｓｙｓｔｅｍ）の通知を受信したと
き、および（Ｈ）有効（Ｖａｌｉｄ）なバージョンのシステム情報を保持していないとき、にシステム情報を取得する。
【０１３８】
前記（Ｆ）システム情報が変更されたことを示す情報を受信したとき、（Ｇ）ＰＷＳの通知を受信したとき、について説明する。ＲＲＣ＿ＩＤＬＥ状態およびＲＲ＿ＩＮＡＣＴＩＶＥ状態の端末装置２は、すべての間欠受信（ＤＲＸ）サイクルで自身のページング機会でシステム情報変更インジケーションをモニタする。また、ＲＲＣ＿ＣＯＮＮＥＣＴＥＤ状態の端末装置２は、ページングをモニタするためのコモンサーチスペースが提供されている場合、すべてのページング機会でシステム情報変更インジケーションをモニタする。またＥＴＷＳ，ＣＭＡＳに対応する端末装置２は、上記システム情報変更インジケーションに加え、ＰＷＳノーティフィケーションをモニタする。
【０１３９】
端末装置２は、ページングメッセージあるいはＤＣＩを受信した場合であって、端末装置２がＥＴＷＳ，ＣＭＡＳに対応し、受信したページングメッセージがＰＷＳノーティフィケーションを含むか、受信したＤＣＩがＰＷＳノーティフィケーションを示す場合、ＳＩＢ１を直ちに再取得して、ＳＩＢ１に含まれるシステム情報のスケジュール情報に基づき、ＥＴＷＳおよび／またはＣＭＡＳに必要なシステム情報を取得する。
【０１４０】
端末装置２は、ページングメッセージあるいはＤＣＩを受信した場合であって、受信したページングメッセージがシステム情報変更インジケーションを含むか、受信したＤＣＩがシステム情報変更インジケーションを示す場合、システム情報の次の変更期間でシステム情報を取得する。
【０１４１】
ＳＩＢ１を受信した端末装置２は、取得したＳＩＢ１を保持（ストア）し、ＳＩＢ１に含まれるサービングセル（ＰＣｅｌｌ）の設定情報（ｓｅｒｖｉｎｇＣｅｌｌＣｏｎｆｉｇＣｏｍｍｏｎ）の設定を適用する。もし、端末装置２が必要とされるＳＩＢの有効なバージョンを保持している場合、保持しているＳＩＢの設定を適用し、有効なバージョンを保持していない場合は、当該ＳＩＢの取得を行う。有効なバージョンを保持しているか否かは、例えば、ＳＩＢ１に含まれるシステム情報のスケジュール情報に含まれるＳＩＢ毎に設定されるパラメータ（ｖａｌｕｅＴａｇ）の値が、保持しているＳＩＢ毎の値と異なる場合に、端末装置２は、有効なバージョンを保持していないと判断してもよい。
【０１４２】
ここで、同期処理を伴う再設定メッセージに含まれるＳｐＣｅｌｌＣｏｎｆｉｇＣｏｍｍｏｎで設定されたパラメータは、システム情報変更インジケーションによって受信したＳＩＢ１のｓｅｒｖｉｎｇＣｅｌｌＣｏｎｆｉｇＣｏｍｍｏｎが適用されることで、パラメータが更新される。なお、端末装置２は、システム情報変更インジケーションがない場合であってもＳＩＢ１を取得してよい。
【０１４３】
下位レイヤ（例えば物理層）では、ランダムアクセスプリアンブルを送信するための時間および周波数リソースの選択や、レートマッチング処理のために、上位レイヤ（ＲＲＣ層）から通知されるｓｓｂ−ＰｏｓｉｔｉｏｎｓＩｎＢｕｒｓｔやその他のパラメータが用いられる。このとき、非特許文献３によると、ＳｐＣｅｌｌＣｏｎｆｉｇＣｏｍｍｏｎで設定されたｓｓｂ−ＰｏｓｉｔｉｏｎｓＩｎＢｕｒｓｔがある場合は、ＳＩＢ１のｓｅｒｖｉｎｇＣｅｌｌＣｏｎｆｉｇＣｏｍｍｏｎで設定されるｓｓｂ−ＰｏｓｉｔｉｏｎｓＩｎＢｕｒｓｔを上書きする処理が行われるが、その他のパラメータについては記載がないため、更新されたＳＩＢ１のｓｅｒｖｉｎｇＣｅｌｌＣｏｎｆｉｇＣｏｍｍｏｎで設定されるパラメータが適用される。
【０１４４】
＜第１の実施形態＞
ここでは、ＢＣＣＨで報知されるＳＩＢ１が更新された場合であっても、すでに受信し
ているＤＣＣＨで送信された再設定メッセージによって設定されたパラメータを優先して適用する方法の一例を示す。
【０１４５】
再設定メッセージに含まれるＳｐＣｅｌｌの設定情報には、サービングセルの識別子、同期処理を伴う再設定のための情報、ＳｐＣｅｌｌのＵＥ特有設定情報（ｓｐＣｅｌｌＣｏｎｆｉｇＤｅｄｉｃａｔｅｄ）、の一部あるいは全部が含まれてよい。ＳｐＣｅｌｌの設定情報は、その他の様々な情報を含んでもよい。
【０１４６】
同期処理を伴う再設定のための情報には、ＳｐＣｅｌｌの共通設定情報（ｓｐＣｅｌｌＣｏｎｆｉｇＣｏｍｍｏｎ）、新しい端末識別子情報、タイマー情報、ランダムアクセス手順に必要な情報、の一部あるいは全部が含まれてよい。ＳｐＣｅｌｌの共通設定情報であるｓｅｒｖｉｎｇＣｅｌｌＣｏｎｆｉｇＣｏｍｍｏｎには物理セル識別子情報、下りリンク設定情報、上りリンク設定情報、ｓｓｂ−ＰｏｓｉｔｉｏｎｓＩｎＢｕｒｓｔ、ｓｓｂ−ＰｏｓｉｔｉｏｎｓＩｎＢｕｒｓｔでＳＳ／ＰＢＣＨブロックが送信される時間位置が指定される時間区間（バースト）が何れの周期で繰り返されるかを示す情報（ｓｓｂ−ｐｅｒｉｏｄｉｃｉｔｙＳｅｒｖｉｎｇＣｅｌｌ）の一部あるいは全部が含まれてよい。同期処理を伴う再設定のための情報は、その他の様々な情報を含んでもよい。
【０１４７】
ＳｐＣｅｌｌのＵＥ特有設定情報であるＳｅｒｖｉｎｇＣｅｌｌＣｏｎｆｉｇには、ｓｓｂ−ＰｏｓｉｔｉｏｎｓＩｎＢｕｒｓｔ、ｓｓｂ−ＰｏｓｉｔｉｏｎｓＩｎＢｕｒｓｔでＳＳ／ＰＢＣＨブロックが送信される時間位置が指定される時間区間（バースト）が何れの周期で繰り返されるかを示す情報（ｓｓｂ−ｐｅｒｉｏｄｉｃｉｔｙＳｅｒｖｉｎｇＣｅｌｌ）、ランダムアクセス手順に必要な情報、の一部あるいは全部が含まれてよい。ＳｐＣｅｌｌのＵＥ特有設定情報は、その他の様々な情報を含んでもよい。
【０１４８】
次に、上記再設定メッセージを用いた端末装置２の処理を説明する。
【０１４９】
再設定メッセージを受信したＲＲＣ＿ＣＯＮＮＥＣＴＥＤ状態の端末装置２は、ＳｐＣｅｌｌのＵＥ特有設定情報（ＳｅｒｖｉｎｇＣｅｌｌＣｏｎｆｉｇ）にｓｓｂ−ＰｏｓｉｔｉｏｎｓＩｎＢｕｒｓｔおよび一つまたは複数のパラメータからなるセット（第１のパラメータセット）が含まれる場合、この第１のパラメータセットを適用し、保持する。また、ＳｐＣｅｌｌの共通設定情報（ｓｐＣｅｌｌＣｏｎｆｉｇＣｏｍｍｏｎ）にｓｓｂ−ＰｏｓｉｔｉｏｎｓＩｎＢｕｒｓｔおよび一つまたは複数のパラメータからなるセット（第２のパラメータセット）が含まれる場合、この第２のパラメータセットに含まれるパラメータを適用して保持する。この第２のパラメータセットによって適用されたパラメータをまとめて第６のパラメータセットとも称する。
【０１５０】
ＲＲＣ＿ＣＯＮＮＥＣＴＥＤ状態の端末装置２は、例えば、システム情報変更インジケーションを受信した場合であって現在アクティブな下りリンクのＢＷＰにおいてコモンサーチスペースが設定されている場合などにおいて、変更されたシステム情報を取得するためにＳＩＢ１を取得する。システム情報変更インジケーションによってＳＩＢ１を受信した端末装置２は、ＳＩＢ１のｓｅｒｖｉｎｇＣｅｌｌの共通設定情報（ＳｅｒｖｉｎｇＣｅｌｌＣｏｎｆｉｇＣｏｍｍｏｎＳＩＢ）にｓｓｂ−ＰｏｓｉｔｉｏｎｓＩｎＢｕｒｓｔおよび一つまたは複数のパラメータからなるセット（第３のパラメータセット）が含まれる場合、この第３のパラメータセットを第６のパラメータセットに適用（反映）して保持する。
【０１５１】
端末装置２のＲＲＣ層の処理部は、ｓｓｂ−ＰｏｓｉｔｉｏｎｓＩｎＢｕｒｓｔおよび一つまたは複数のパラメータとして、第１のパラメータセットを保持している場合には、第１のパラメータセットを適用したパラメータセットを下位レイヤ（例えば物理層）に提
供（または適用）する。また、端末装置２のＲＲＣ層の処理部は、ｓｓｂ−ＰｏｓｉｔｉｏｎｓＩｎＢｕｒｓｔおよび一つまたは複数のパラメータとして、第１のパラメータセットを保持していない場合には、第６のパラメータセットを適用したパラメータセットを下位レイヤ（例えば物理層）に提供（または適用）する。あるいは、第１のパラメータセットを保持していない場合に、第２のパラメータセットまたは第３のパラメータセットの何れか最後に設定された（あるいは最後にＡｐｐｌｙした、あるいは最後に取得（Ａｑｕｉｒｅ）した）パラメータセットを適用したパラメータセットを下位レイヤ（例えば物理層）に提供（または適用）してもよい。ここで第１のパラメータセットに含まれるｓｓｂ−ＰｏｓｉｔｉｏｎｓＩｎＢｕｒｓｔが第１のビットマップ構成であり、第２のパラメータセットおよび／または第３のパラメータセットおよび／またはセル特有パラメータセットに含まれるｓｓｂ−ＰｏｓｉｔｉｏｎｓＩｎＢｕｒｓｔが第２のビットマップ構成であってもよい。また、第１のパラメータセットおよび第２のパラメータセットおよび第３のパラメータセットおよびセル特有パラメータセットには、ランダムアクセス手順に必要な情報（例えばｓｓｂ−ｐｅｒＲＡＣＨ−Ｏｃｃａｓｉｏｎ、ｃｂ−ｐｒｅａｍｂｌｅｓ−ｐｅｒ−ＳＳＢ）が含まれてもよい。
【０１５２】
下位レイヤ（例えば物理層）は、ＲＲＣ層から提供（または適用）されたパラメータセットを用いて処理をおこなう。ここで、物理層は、パラメータセットにｓｓｂ−ｐｅｒＲＡＣＨ−Ｏｃｃａｓｉｏｎが含まれる場合であって、コンテンションベースランダムアクセスを行う場合には、ＳｐＣｅｌｌの共通設定情報（ｓｐＣｅｌｌＣｏｎｆｉｇＣｏｍｍｏｎ）に含まれるｓｓｂ−ｐｅｒＲＡＣＨ−Ｏｃｃａｓｉｏｎを適用し、コンテンションフリーランダムアクセスを行う場合には、ＳｐＣｅｌｌのＵＥ特有設定情報に含まれるｓｓｂ−ｐｅｒＲＡＣＨ−Ｏｃｃａｓｉｏｎを適用するようにしてもよい。また、ＲＲＣ層から第１のパラメータセットおよび第６のパラメータセットの両方が提供され、物理層が何れのパラメータセットを適用するかを判断するようにしてもよい。また、ＲＲＣ層から第１のパラメータセットおよび第２のパラメータセットあるいは第３のパラメータセットの何れか最後に設定されたパラメータセットの両方が提供され、物理層が何れのパラメータセットを適用するかを判断するようにしてもよい。物理層では第６のパラメータセットをＳＩＢ１で設定（取得）したパラメータセットであるとみなしてもよい。また、物理層では、第１のパラメータセットをＳｅｒｖｉｎｇＣｅｌｌＣｏｎｆｉｇＣｏｍｍｏｎで設定（取得）したパラメータセットであるとみなしてもよい。この場合、端末装置２の物理層は、ＳｅｒｖｉｎｇＣｅｌｌＣｏｎｆｉｇＣｏｍｍｏｎで設定されたパラメータであるかＳＩＢ１で設定されたパラメータであるかに基づいた処理を行う。
【０１５３】
基地局装置３は、端末装置２に何れのパラメータセットを設定したかに基づいて、端末装置２が何れのパラメータセットを適用しているかを認識する。これにより、基地局装置３と端末装置２とで祖語のない通信が可能となる。
【０１５４】
＜第２の実施形態＞
ここでは、ＢＣＣＨで報知されるＳＩＢ１が更新された場合であっても、すでに受信しているＤＣＣＨで送信された再設定メッセージによって設定されたパラメータを優先して適用する方法の別の一例を示す。
【０１５５】
本実施形態において、再設定メッセージに含まれるＳｐＣｅｌｌの設定情報には、サービングセルの識別子、同期処理を伴う再設定のための情報、ＳｐＣｅｌｌのＵＥ特有設定情報（ＳｅｒｖｉｎｇＣｅｌｌＣｏｎｆｉｇ）、の一部あるいは全部が含まれてよい。ＳｐＣｅｌｌの設定情報は、その他の様々な情報を含んでもよい。
【０１５６】
同期処理を伴う再設定のための情報には、ＳｐＣｅｌｌの共通設定情報（ｓｐＣｅｌｌＣｏｎｆｉｇＣｏｍｍｏｎ）、新しい端末識別子情報、タイマー情報、ランダムアクセス
手順に必要な情報、の一部あるいは全部が含まれてよい。ＳｐＣｅｌｌの共通設定情報であるｓｅｒｖｉｎｇＣｅｌｌＣｏｎｆｉｇＣｏｍｍｏｎには物理セル識別子情報、下りリンク設定情報、上りリンク設定情報、ｓｓｂ−ＰｏｓｉｔｉｏｎｓＩｎＢｕｒｓｔ、ｓｓｂ−ＰｏｓｉｔｉｏｎｓＩｎＢｕｒｓｔでＳＳ／ＰＢＣＨブロックが送信される時間位置が指定される時間区間（バースト）が何れの周期で繰り返されるかを示す情報（ｓｓｂ−ｐｅｒｉｏｄｉｃｉｔｙＳｅｒｖｉｎｇＣｅｌｌ）の一部あるいは全部が含まれてよい。同期処理を伴う再設定のための情報は、その他の様々な情報を含んでもよい。
【０１５７】
ＳｐＣｅｌｌのＵＥ特有設定情報（ｓｐＣｅｌｌＣｏｎｆｉｇＤｅｄｉｃａｔｅｄ）には、ランダムアクセス手順に必要な情報が含まれてよい。ＳｐＣｅｌｌのＵＥ特有設定情報は、その他の様々な情報を含んでもよい。
【０１５８】
次に、上記再設定メッセージを用いた端末装置２の処理を説明する。
【０１５９】
再設定メッセージを受信したＲＲＣ＿ＣＯＮＮＥＣＴＥＤ状態の端末装置２は、ＳｐＣｅｌｌの共通設定情報（ＳｅｒｖｉｎｇＣｅｌｌＣｏｎｆｉｇＣｏｍｍｏｎ）にｓｓｂ−ＰｏｓｉｔｉｏｎｓＩｎＢｕｒｓｔおよび一つまたは複数のパラメータからなるセット（第４のパラメータセット）が含まれる場合、この第４のパラメータセットを適用して保持する。
【０１６０】
ＲＲＣ＿ＣＯＮＮＥＣＴＥＤ状態の端末装置２は、例えば、システム情報変更インジケーションによってＳＩＢ１を受信した場合、ＳＩＢ１のｓｅｒｖｉｎｇＣｅｌｌの共通設定情報（ＳｅｒｖｉｎｇＣｅｌｌＣｏｎｆｉｇＣｏｍｍｏｎＳＩＢ）にｓｓｂ−ＰｏｓｉｔｉｏｎｓＩｎＢｕｒｓｔおよび一つまたは複数のパラメータからなるセット（第５のパラメータセット）が含まれる場合、この第５のパラメータセットを適用して保持する。
【０１６１】
端末装置２のＲＲＣ層の処理部は、ｓｓｂ−ＰｏｓｉｔｉｏｎｓＩｎＢｕｒｓｔおよび一つまたは複数のパラメータとして、第４のパラメータセットを保持している場合には、第４のパラメータセットを適用したパラメータセットを下位レイヤ（例えば物理層）に提供（または適用）する。また、端末装置２のＲＲＣ層の処理部は、ｓｓｂ−ＰｏｓｉｔｉｏｎｓＩｎＢｕｒｓｔおよび一つまたは複数のパラメータとして、第４のパラメータセットを保持していない場合には、第５のパラメータセットを適用したパラメータセットを下位レイヤ（例えば物理層）に提供（または適用）する。ここで第４のパラメータセットに含まれるｓｓｂ−ＰｏｓｉｔｉｏｎｓＩｎＢｕｒｓｔが第１のビットマップ構成であり、第５のパラメータセットに含まれるｓｓｂ−ＰｏｓｉｔｉｏｎｓＩｎＢｕｒｓｔが第２のビットマップ構成であってもよい。また、第４のパラメータセットおよび第５のパラメータセットには、ランダムアクセス手順に必要な情報（例えばｓｓｂ−ｐｅｒＲＡＣＨ−Ｏｃｃａｓｉｏｎ、ｃｂ−ｐｒｅａｍｂｌｅｓ−ｐｅｒ−ＳＳＢ）が含まれてもよい。
【０１６２】
下位レイヤ（例えば物理層）は、ＲＲＣ層から提供（または適用）されたパラメータセットを用いて処理をおこなう。ここで、物理層は、パラメータセットにｓｓｂ−ｐｅｒＲＡＣＨ−Ｏｃｃａｓｉｏｎが含まれる場合であって、コンテンションベースランダムアクセスを行う場合には、ＳｐＣｅｌｌの共通設定情報に含まれるｓｓｂ−ｐｅｒＲＡＣＨ−Ｏｃｃａｓｉｏｎを適用し、コンテンションフリーランダムアクセスを行う場合には、ＳｐＣｅｌｌのＵＥ特有設定情報に含まれるｓｓｂ−ｐｅｒＲＡＣＨ−Ｏｃｃａｓｉｏｎを適用するようにしてもよい。また、ＲＲＣ層から第４のパラメータセットおよび第５のパラメータセットが提供され、物理層が何れのパラメータセットを適用するかを判断するようにしてもよい。
【０１６３】
基地局装置３は、端末装置２に何れのパラメータセットを設定したかに基づいて、端末
装置２が何れのパラメータセットを適用しているかを認識する。これにより、基地局装置３と端末装置２とで祖語のない通信が可能となる。
【０１６４】
上記実施形態では、複数のパラメータセットを保持して選択する例を示したが、これに限らず、例えば、ＳＩＢ１を受信したときに、ＤＣＣＨによって通知されるパラメータセットが適用されている場合には、ＢＣＣＨによって報知されるパラメータセット（例えばＳＢ１から取得したパラメータセット）を適用しないように処理してもよい。また、ＤＣＣＨによってパラメータセットが通知されていない場合には、ＢＣＣＨによって報知されるパラメータセット（例えばＳＢ１から取得したパラメータセット）を適用するように処理してもよい。この場合、適用されたパラメータセットが下位レイヤ（例えば物理層）に提供（または適用）されてよい。
【０１６５】
また、例えば、ＤＣＣＨによって通知されたパラメータセットに含まれるｓｓｂ−ＰｏｓｉｔｉｏｎｓＩｎＢｕｒｓｔが、ＢＣＣＨによって報知されるパラメータセットに含まれるｓｓｂ−ＰｏｓｉｔｉｏｎｓＩｎＢｕｒｓｔのサブセットになっていない場合にＤＣＣＨによって通知されたパラメータセットを破棄（Ｄｉｓｃａｒｄ）して、ＢＣＣＨによって通知されたパラメータセットを適用するように処理してもよい。また、ＤＣＣＨによって通知されたパラメータセットに含まれるｓｓｂ−ＰｏｓｉｔｉｏｎｓＩｎＢｕｒｓｔが、ＢＣＣＨによって報知されるパラメータセットに含まれるｓｓｂ−ＰｏｓｉｔｉｏｎｓＩｎＢｕｒｓｔのサブセットになっている場合に、ＢＣＣＨによって通知されたパラメータセットを適用しないように処理してもよい。この場合、適用されたパラメータセットが下位レイヤ（例えば物理層）に提供（または適用）されてよい。
【０１６６】
また、例えば、ＤＣＣＨによって通知されたパラメータセットに含まれるｓｓｂ−ＰｏｓｉｔｉｏｎｓＩｎＢｕｒｓｔが、第２のビットマップ構成で表すことができる場合には、ＢＣＣＨによって報知されるパラメータセットを適用するように処理してもよい。また、ＤＣＣＨによって通知されたパラメータセットに含まれるｓｓｂ−ＰｏｓｉｔｉｏｎｓＩｎＢｕｒｓｔが、第２のビットマップ構成で表すことができない場合には、ＢＣＣＨによって報知されるパラメータセットを適用しないように処理してもよい。この場合、適用されたパラメータセットが下位レイヤ（例えば物理層）に提供（または適用）されてよい。
【０１６７】
前記実施形態において、特定の機能（例えばＰＲＡＣＨ機会の判断など）のために用いられる一つまたは複数のパラメータは常にＢＣＣＨによって通知されたパラメータセットに含まれるパラメータを適用するように処理してもよい。この一つまたは複数のパラメータは、ランダムアクセス設定情報の一部あるいは全部であってもよい。
【０１６８】
前記第１の実施形態において、ＳＩＢ１に含まれる、端末装置２のサービングセルのセル特有パラメータを設定するために用いられる情報要素であるＳｅｒｖｉｎｇＣｅｌｌＣｏｎｆｉｇＣｏｍｍｏｎＳＩＢ、および再設定メッセージに含まれる、端末装置２のサービングセルのセル特有パラメータを設定するために用いられる情報要素であるＳｅｒｖｉｎｇＣｅｌｌＣｏｎｆｉｇＣｏｍｍｏｎ、および再設定メッセージに含まれる、ＭＣＧまたはＳＣＧのＳｐＣｅｌｌまたはＳＣｅｌｌなどのサービングセルの追加や変更などの設定を端末装置２に行うために用いられる情報要素であるＳｅｒｖｉｎｇＣｅｌｌＣｏｎｆｉｇに、ｓｓｂ−ＰｏｓｉｔｉｏｎｓＩｎＢｕｒｓｔが含まれる場合を想定する。
【０１６９】
このとき、端末装置２は、後述するＮｔｘＳＳＢを導出（または獲得（Ｏｂｔａｉｎ））する際に用いられるｓｓｂ−ＰｏｓｉｔｉｏｎｓＩｎＢｕｒｓｔとして、ＳｅｒｖｉｎｇＣｅｌｌＣｏｎｆｉｇＣｏｍｍｏｎＳＩＢまたはＳｅｒｖｉｎｇＣｅｌｌＣｏｎｆｉｇＣｏｍｍｏｎに含まれるｓｓｂ−ＰｏｓｉｔｉｏｎｓＩｎＢｕｒｓｔを適用する。
【０１７０】
ここで、ＮｔｘＳＳＢは、ｓｓｂ−ＰｏｓｉｔｉｏｎＩｎＢｕｒｓｔから導出（または獲得（Ｏｂｔａｉｎ））されるＳＳ／ＰＢＣＨブロックのバースト内のＳＳ／ＰＢＣＨブロックの数である。例えば、ある期間（または周期）（Ｐｅｒｉｏｄ）におけるＰＲＡＣＨ機会に対してＳＳ／ＰＢＣＨブロックをマッピングする際に、その期間のＰＲＡＣＨ機会に最低一回、ＮｔｘＳＳＢ個のＳＳ／ＰＢＣＨブロックがマッピングされるようにマッピングが行われる。上記「ある期間」のことを関連付け周期（Ａｓｓｏｃｉａｔｉｏｎ  Ｐｅｒｉｏｄ）とも称する。
【０１７１】
ＳｅｒｖｉｎｇＣｅｌｌＣｏｎｆｉｇＣｏｍｍｏｎＳＩＢおよびＳｅｒｖｉｎｇＣｅｌｌＣｏｎｆｉｇＣｏｍｍｏｎに含まれるｓｓｂ−ＰｏｓｉｔｉｏｎｓＩｎＢｕｒｓｔは同一のビットマップ構成（単にビット情報構成、またはビット列情報構成とも称する）であってもよい。端末装置２は、ＳｅｒｖｉｎｇＣｅｌｌＣｏｎｆｉｇＣｏｍｍｏｎＳＩＢおよびＳｅｒｖｉｎｇＣｅｌｌＣｏｎｆｉｇＣｏｍｍｏｎに含まれるｓｓｂ−ＰｏｓｉｔｉｏｎｓＩｎＢｕｒｓｔは同一の値（ビット情報、またはビット列情報）であると想定してもよい。端末装置２は、ＳｅｒｖｉｎｇＣｅｌｌＣｏｎｆｉｇＣｏｍｍｏｎＳＩＢおよびＳｅｒｖｉｎｇＣｅｌｌＣｏｎｆｉｇＣｏｍｍｏｎに含まれるｓｓｂ−ＰｏｓｉｔｉｏｎｓＩｎＢｕｒｓｔを一つのパラメータとして保持し、ＳｅｒｖｉｎｇＣｅｌｌＣｏｎｆｉｇＣｏｍｍｏｎＳＩＢの取得あるいはＳｅｒｖｉｎｇＣｅｌｌＣｏｎｆｉｇＣｏｍｍｏｎＳＩＢの取得によって変更（更新）されるように処理してもよい。端末装置２は、ＳｅｒｖｉｎｇＣｅｌｌＣｏｎｆｉｇＣｏｍｍｏｎＳＩＢおよびＳｅｒｖｉｎｇＣｅｌｌＣｏｎｆｉｇＣｏｍｍｏｎの両方を取得している場合には、ＳｅｒｖｉｎｇＣｅｌｌＣｏｎｆｉｇＣｏｍｍｏｎに含まれるｓｓｂ−ＰｏｓｉｔｉｏｎｓＩｎＢｕｒｓｔを優先して適用する（用いる）ように処理してもよい。
【０１７２】
ｓｓｂ−ＰｏｓｉｔｉｏｎｓＩｎＢｕｒｓｔを用いるその他の処理、例えばＰＤＣＣＨ候補をモニタする時間位置の特定のためにｓｓｂ−ＰｏｓｉｔｉｏｎＩｎＢｕｒｓｔによって提供されるＳＳ／ＰＢＣＨブロックインデックスを用いる場合に、ＳｅｒｖｉｎｇＣｅｌｌＣｏｎｆｉｇに含まれるｓｓｂ−ＰｏｓｉｔｉｏｎＩｎＢｕｒｓｔを優先（Ｏｖｅｒｒｉｄｅ）して適用する（用いる）ようにしてもよい。すなわち、端末装置２に対してＳｅｒｖｉｎｇＣｅｌｌＣｏｎｆｉｇＣｏｍｍｏｎおよびＳｅｒｖｉｎｇＣｅｌｌＣｏｎｆｉｇの両方が設定される場合に、ＳｅｒｖｉｎｇＣｅｌｌＣｏｎｆｉｇに含まれるパラメータ（またはパラメータセット）を優先して適用するが、特定の処理（例えばここではＮｔｘＳＳＢを導出（獲得）する処理）に用いるパラメータはＳｅｒｖｉｎｇＣｅｌｌＣｏｎｆｉｇＣｏｍｍｏｎに含まれるパラメータ（またはパラメータセット）を優先して適用してもよい。
【０１７３】
これにより、ＳｅｒｖｉｎｇＣｅｌｌＣｏｎｆｉｇＣｏｍｍｏｎＳＩＢに含まれるｓｓｂ−ＰｏｓｉｔｉｏｎｓＩｎＢｕｒｓｔを用いてＰＲＡＣＨ機会を判断する端末装置２と、ＳｅｒｖｉｎｇＣｅｌｌＣｏｎｆｉｇＣｏｍｍｏｎおよび／またはＳｅｒｖｉｎｇＣｅｌｌＣｏｎｆｉｇで通知されるｓｓｂ−ＰｏｓｉｔｉｏｎｓＩｎＢｕｒｓｔを用いてＰＲＡＣＨ機会を判断する端末装置２とが、同じＳＳ／ＰＢＣＨブロックの数を想定することができ、ＰＲＡＣＨ機会のための時間および周波数リソースの共用が容易となる。また、ｓｓｂ−ＰｏｓｉｔｉｏｎｓＩｎＢｕｒｓｔとして、ＳｅｒｖｉｎｇＣｅｌｌＣｏｎｆｉｇＣｏｍｍｏｎＳＩＢで第２のビットマップが提供され、ＳｅｒｖｉｎｇＣｅｌｌＣｏｎｆｉｇＣｏｍｍｏｎで第２のビットマップが提供され、ＳｅｒｖｉｎｇＣｅｌｌＣｏｎｆｉｇで第１のビットマップが提供される場合、端末装置２が、少なくともＮｔｘＳＳＢを導出（獲得）する処理では第２のビットマップを用いた処理を行ない、ｓｓｂ−ＰｏｓｉｔｉｏｎｓＩｎＢｕｒｓｔに基づくそれ以外の処理の少なくとも一つの処理で精度の高い第１のビットマップを用いた処理を行うことで、ＰＲＡＣＨ機会のための時間および周波
数リソースの共用を容易にしつつ、端末装置２における効率的な処理が可能となる。
【０１７４】
また、上記説明において、再設定メッセージに含まれる、ＳｅｒｖｉｎｇＣｅｌｌＣｏｎｆｉｇＣｏｍｍｏｎ、およびＳｅｒｖｉｎｇＣｅｌｌＣｏｎｆｉｇに、それぞれｓｓｂ−ＰｏｓｉｔｉｏｎｓＩｎＢｕｒｓｔとしてビットマップ情報を含めるのではなく、再設定メッセージに、ｓｓｂ−ＰｏｓｉｔｉｏｎｓＩｎＢｕｒｓｔとして第１のビットマップ構成のビットマップを含め、さらに、ＮｔｘＳＳＢを導出（獲得）する際に用いられるＳＳ／ＰＢＣＨブロックの数の情報、あるいはＮｔｘＳＳＢの値を含めてもよい。この場合、端末装置２が、少なくともＰＲＡＣＨ機会を判断する処理では、ＮｔｘＳＳＢを導出する際に用いられるＳＳ／ＰＢＣＨブロックの数の情報、あるいはＮｔｘＳＳＢの値を用いた処理を行ない、ｓｓｂ−ＰｏｓｉｔｉｏｎｓＩｎＢｕｒｓｔに基づくそれ以外の処理の少なくとも一つの処理では第１のビットマップを用いた処理を行うことで、ＰＲＡＣＨ機会のための時間および周波数リソースの共用を容易にしつつ、端末装置２における効率的な処理が可能となる。また、通知する情報量の削減が可能となる。
【０１７５】
上記説明において、ＳｅｒｖｉｎｇＣｅｌｌＣｏｎｆｉｇに含まれるｓｓｂ−ＰｏｓｉｔｉｏｎＩｎＢｕｒｓｔが、ＳｅｒｖｉｎｇＣｅｌｌＣｏｎｆｉｇＣｏｍｍｏｎに含まれてもよい。
【０１７６】
また、上記説明において、基地局装置３は、ＳｅｒｖｉｎｇＣｅｌｌＣｏｎｆｉｇに含まれる、ｓｓｂ−ＰｏｓｉｔｉｏｎＩｎＢｕｒｓｔ以外のＰＲＡＣＨ機会に関する一つ以上のパラメータを、ＳｅｒｖｉｎｇＣｅｌｌＣｏｎｆｉｇに含まれるｓｓｂ−ＰｏｓｉｔｉｏｎＩｎＢｕｒｓｔではなく、ＳｅｒｖｉｎｇＣｅｌｌＣｏｎｆｉｇＣｏｍｍｏｎＳＩＢまたはＳｅｒｖｉｎｇＣｅｌｌＣｏｎｆｉｇＣｏｍｍｏｎに含まれるｓｓｂ−ＰｏｓｉｔｉｏｎＩｎＢｕｒｓｔに対応するパラメータとして設定して端末装置２に通知することで、ＰＲＡＣＨ機会のための時間および周波数リソースの共用を容易にしつつ、端末装置２に対して効率的な処理を行わせることが可能となる。。
【０１７７】
上記説明において、パラメータセットには前記ランダムアクセス設定情報の一部あるいは全部が含まれてよい。
【０１７８】
上記説明において、例えば、設定情報を「保持する」とは設定情報自体を設定情報として格納することであるとみなし、設定情報を「適用する」とは実際に用いられるパラメータを設定情報に基づき設定することであるとみなしてもよい。
【０１７９】
また、上記説明における、ＲＲＣ層から複数のパラメータセットが提供され、物理層が何れのパラメータセットを適用するかを判断する例について以下説明する。
【０１８０】
（１）例えば、パラメータｓｓｂ−ＰｏｓｉｔｉｏｎＩｎＢｕｒｓｔに基づいて、端末装置２が、ＳＳ／ＰＢＣＨブロックに関連するリソースエレメントに重複するリソースエレメントにある他の信号またはチャネルを受信しない判断をする場合であって、複数のｓｓｂ−ＰｏｓｉｔｉｏｎＩｎＢｕｒｓｔがＲＲＣ層から提供されている場合、第１の実施形態では、第１のパラメータセットと第６のパラメータセットとが提供されている場合、端末装置２は、第１のパラメータセットに含まれるｓｓｂ−ＰｏｓｉｔｉｏｎＩｎＢｕｒｓｔを第６のパラメータセットのそれよりも優先する。第２の実施形態では、第４のパラメータセットと第５のパラメータセットとが提供されている場合、端末装置２は、第４のパラメータセットに含まれるｓｓｂ−ＰｏｓｉｔｉｏｎＩｎＢｕｒｓｔを第５のパラメータセットに含まれるｓｓｂ−ＰｏｓｉｔｉｏｎＩｎＢｕｒｓｔよりも優先する。このとき、端末装置２は、ハーフフレームの周期を想定するために用いるパラメータｓｓｂ−ｐｅｒｉｏｄｉｃｉｔｙＳｅｒｖｉｎｇＣｅｌｌとして優先されたパラメータセットに含まれ
るｓｓｂ−ｐｅｒｉｏｄｉｃｉｔｙＳｅｒｖｉｎｇＣｅｌｌを用いる。
【０１８１】
（２）例えば、第１の実施形態において、端末装置２が、あるスロットでＰＤＣＣＨ候補をモニタするときに以下の判断を行う。
・もし、サービングセルにおいて、端末装置２が第６のパラメータセットでｓｓｂ−ＰｏｓｉｔｉｏｎＩｎＢｕｒｓｔが設定されており、第１のパラメータセットでｓｓｂ−ＰｏｓｉｔｉｏｎＩｎＢｕｒｓｔが設定されておらず、かつ、もし、端末装置２がタイプ０−ＰＤＣＣＨコモンサーチスペースでＰＤＣＣＨ候補をモニタせず、少なくともＰＤＣＣＨ候補の一つのリソースエレメントが、第６のパラメータセットで設定されるｓｓｂ−ＰｏｓｉｔｉｏｎＩｎＢｕｒｓｔによって提供されるＳＳ／ＰＢＣＨブロックインデックスに対応する少なくとも一つのリソースエレメントとオバーラップするとき、端末装置２は、そのＰＤＣＣＨ候補をモニタする必要がないと判断する。
・もし、サービングセルにおいて、端末装置２が第１のパラメータセットでｓｓｂ−ＰｏｓｉｔｉｏｎＩｎＢｕｒｓｔが設定されており、かつ、もし、端末装置２がタイプ０−ＰＤＣＣＨコモンサーチスペースでＰＤＣＣＨ候補をモニタせず、少なくともＰＤＣＣＨ候補の一つのリソースエレメントが、第１のパラメータセットで設定されるｓｓｂ−ＰｏｓｉｔｉｏｎＩｎＢｕｒｓｔによって提供されるＳＳ／ＰＢＣＨブロックインデックスに対応する少なくとも一つのリソースエレメントとオバーラップするとき、端末装置２は、そのＰＤＣＣＨ候補をモニタする必要がないと判断する。
【０１８２】
（３）例えば、ＳｅｒｖｉｎｇＣｅｌｌＣｏｎｆｉｇＣｏｍｍｏｎＳＩＢおよび／またはＳｅｒｖｉｎｇＣｅｌｌＣｏｎｆｉｇＣｏｍｍｏｎで設定されるパラメータｓｓｂ−ＰｏｓｉｔｉｏｎＩｎＢｕｒｓｔが、ＳＳＢ−Ｔｒａｎｓｍｉｔｔｅｄ−ＳＩＢ１として物理層に提供され、ＳｅｒｖｉｎｇＣｅｌｌＣｏｎｆｉｇで設定されるパラメータｓｓｂ−ＰｏｓｉｔｉｏｎＩｎＢｕｒｓｔが、ＳＳＢ−Ｔｒａｎｓｍｉｔｔｅｄとして物理層に提供される場合、端末装置２は、ＳＳ／ＰＢＣＨブロックに関連するリソースエレメントに重複するリソースエレメントにある他の信号またはチャネルを受信しない判断をするときには、ＳＳＢ−Ｔｒａｎｓｍｉｔｔｅｄ−ＳＩＢ１よりＳＳＢ−Ｔｒａｎｓｍｉｔｔｅｄを優先して用いる。また、端末装置２は、ＮｔｘＳＳＢを導出（獲得）するときには、ＳＳＢ−ＴｒａｎｓｍｉｔｔｅｄよりＳＳＢ−Ｔｒａｎｓｍｉｔｔｅｄ−ＳＩＢ１を優先して用いる。
【０１８３】
ここで、ＳＳＢ−Ｔｒａｎｓｍｉｔｔｅｄは、ＳｅｒｖｉｎｇＣｅｌｌＣｏｎｆｉｇに含まれるｓｓｂ−ＰｏｓｉｔｉｏｎＩｎＢｕｒｓｔと換言されてもよい。ＳＳＢ−Ｔｒａｎｓｍｉｔｔｅｄ−ＳＩＢ１は、ＳｅｒｖｉｎｇＣｅｌｌＣｏｎｆｉｇＣｏｍｍｏｎＳＩＢおよび／またはＳｅｒｖｉｎｇＣｅｌｌＣｏｎｆｉｇＣｏｍｍｏｎに含まれるｓｓｂ−ＰｏｓｉｔｉｏｎＩｎＢｕｒｓｔと換言されてもよい。
【０１８４】
なお、ＰＲＡＣＨ機会の処理で用いられるその他の上位層パラメータは、ＳｅｒｖｉｎｇＣｅｌｌＣｏｎｆｉｇで設定されるパラメータが優先されてよい。前記その他の上位層パラメータは、ＲＲＣ層においてＳｅｒｖｉｎｇＣｅｌｌＣｏｎｆｉｇで設定されるパラメータが優先されて物理層に提供されて、物理層でそのパラメータが用いられてもよい。また、ＳｅｒｖｉｎｇＣｅｌｌＣｏｎｆｉｇＣｏｍｍｏｎＳＩＢおよび／またはＳｅｒｖｉｎｇＣｅｌｌＣｏｎｆｉｇＣｏｍｍｏｎで設定されるパラメータとＳｅｒｖｉｎｇＣｅｌｌＣｏｎｆｉｇで設定されるパラメータとが物理層に提供されて、物理層においてＳｅｒｖｉｎｇＣｅｌｌＣｏｎｆｉｇで設定されるパラメータが優先されてもよい。また、ＳｅｒｖｉｎｇＣｅｌｌＣｏｎｆｉｇＣｏｍｍｏｎＳＩＢで設定されるパラメータとＳｅｒｖｉｎｇＣｅｌｌＣｏｎｆｉｇＣｏｍｍｏｎで設定されるパラメータとＳｅｒｖｉｎｇＣｅｌｌＣｏｎｆｉｇで設定されるパラメータとが物理層に提供されて、物理層においてＳｅｒｖｉｎｇＣｅｌｌＣｏｎｆｉｇで設定されるパラメータが優先されてもよい。また、
ＳｅｒｖｉｎｇＣｅｌｌＣｏｎｆｉｇＣｏｍｍｏｎＳＩＢとＳｅｒｖｉｎｇＣｅｌｌＣｏｎｆｉｇＣｏｍｍｏｎの何れのｓｓｂ−ＰｏｓｉｔｉｏｎＩｎＢｕｒｓｔをＳＳＢ−Ｔｒａｎｓｍｉｔｔｅｄ−ＳＩＢ１とするかについては、端末装置２は、ＳｅｒｖｉｎｇＣｅｌｌＣｏｎｆｉｇＣｏｍｍｏｎＳＩＢおよびＳｅｒｖｉｎｇＣｅｌｌＣｏｎｆｉｇＣｏｍｍｏｎの両方に含まれるパラメータを共通のパラメータとして保持し、ＳｅｒｖｉｎｇＣｅｌｌＣｏｎｆｉｇＣｏｍｍｏｎＳＩＢの取得あるいはＳｅｒｖｉｎｇＣｅｌｌＣｏｎｆｉｇＣｏｍｍｏｎＳＩＢの取得によって変更（更新）されるように処理してもよい。また、端末装置２は、ＳｅｒｖｉｎｇＣｅｌｌＣｏｎｆｉｇＣｏｍｍｏｎＳＩＢおよびＳｅｒｖｉｎｇＣｅｌｌＣｏｎｆｉｇＣｏｍｍｏｎの両方を取得している場合には、ＳｅｒｖｉｎｇＣｅｌｌＣｏｎｆｉｇＣｏｍｍｏｎに含まれるパラメータを優先して適用する（用いる）ように処理してもよい。
【０１８５】
また、基地局装置３は、ＰＲＡＣＨ機会に関する一つ以上のパラメータを、ＳｅｒｖｉｎｇＣｅｌｌＣｏｎｆｉｇに含めるｓｓｂ−ＰｏｓｉｔｉｏｎＩｎＢｕｒｓｔではなく、ＳｅｒｖｉｎｇＣｅｌｌＣｏｎｆｉｇＣｏｍｍｏｎＳＩＢおよび／またはＳｅｒｖｉｎｇＣｅｌｌＣｏｎｆｉｇＣｏｍｍｏｎに含めるｓｓｂ−ＰｏｓｉｔｉｏｎＩｎＢｕｒｓｔに対応するように設定して、ＳｅｒｖｉｎｇＣｅｌｌＣｏｎｆｉｇに含める。すなわち、基地局装置３は、ＳｅｒｖｉｎｇＣｅｌｌＣｏｎｆｉｇに含めるｓｓｂ−ＰｏｓｉｔｉｏｎＩｎＢｕｒｓｔから導出されるＮｔｘＳＳＢとＳｅｒｖｉｎｇＣｅｌｌＣｏｎｆｉｇＣｏｍｍｏｎＳＩＢおよび／またはＳｅｒｖｉｎｇＣｅｌｌＣｏｎｆｉｇＣｏｍｍｏｎに含めるｓｓｂ−ＰｏｓｉｔｉｏｎＩｎＢｕｒｓｔから導出されるＮｔｘＳＳＢとが異なる場合、ＳｅｒｖｉｎｇＣｅｌｌＣｏｎｆｉｇＣｏｍｍｏｎＳＩＢおよび／またはＳｅｒｖｉｎｇＣｅｌｌＣｏｎｆｉｇＣｏｍｍｏｎに含めるｓｓｂ−ＰｏｓｉｔｉｏｎＩｎＢｕｒｓｔから導出されるＮｔｘＳＳＢを用いるときに設定されるパラメータの値をＰＲＡＣＨ機会に関する一つ以上のパラメータに設定する。
【０１８６】
（４）例えば、ＳｅｒｖｉｎｇＣｅｌｌＣｏｎｆｉｇＣｏｍｍｏｎＳＩＢで設定されるパラメータｓｓｂ−ＰｏｓｉｔｉｏｎＩｎＢｕｒｓｔが、ＳＳＢ−Ｔｒａｎｓｍｉｔｔｅｄ−ＳＩＢ１として物理層に提供され、ＳｅｒｖｉｎｇＣｅｌｌＣｏｎｆｉｇＣｏｍｍｏｎで設定されるパラメータｓｓｂ−ＰｏｓｉｔｉｏｎＩｎＢｕｒｓｔが、ＳＳＢ−Ｔｒａｎｓｍｉｔｔｅｄとして物理層に提供される場合、端末装置２は、ＳＳ／ＰＢＣＨブロックに関連するリソースエレメントに重複するリソースエレメントにある他の信号またはチャネルを受信しない判断をするときには、ＳＳＢ−Ｔｒａｎｓｍｉｔｔｅｄ−ＳＩＢ１よりＳＳＢ−Ｔｒａｎｓｍｉｔｔｅｄを優先して用いる。また、端末装置２は、ＮｔｘＳＳＢを導出（獲得）するときには、ＳＳＢ−ＴｒａｎｓｍｉｔｔｅｄよりＳＳＢ−Ｔｒａｎｓｍｉｔｔｅｄ−ＳＩＢ１を優先して用いる。
【０１８７】
ここで、ＳＳＢ−Ｔｒａｎｓｍｉｔｔｅｄ−ＳＩＢ１は、ＳｅｒｖｉｎｇＣｅｌｌＣｏｎｆｉｇＣｏｍｍｏｎに含まれるｓｓｂ−ＰｏｓｉｔｉｏｎＩｎＢｕｒｓｔと換言されてもよい。またＳＳＢ−Ｔｒａｎｓｍｉｔｔｅｄ−ＳＩＢ１は、ＳｅｒｖｉｎｇＣｅｌｌＣｏｎｆｉｇＣｏｍｍｏｎＳＩＢに含まれるｓｓｂ−ＰｏｓｉｔｉｏｎＩｎＢｕｒｓｔと換言されてもよい。
【０１８８】
なお、ＰＲＡＣＨ機会の処理で用いられるその他の上位層パラメータは、ＳｅｒｖｉｎｇＣｅｌｌＣｏｎｆｉｇで設定されるパラメータが優先されてよい。前記その他の上位層パラメータは、ＲＲＣ層においてＳｅｒｖｉｎｇＣｅｌｌＣｏｎｆｉｇＣｏｍｍｏｎで設定されるパラメータが優先されて物理層に提供されて、物理層でそのパラメータが用いられてもよい。また、ＳｅｒｖｉｎｇＣｅｌｌＣｏｎｆｉｇＣｏｍｍｏｎＳＩＢで設定されるパラメータとＳｅｒｖｉｎｇＣｅｌｌＣｏｎｆｉｇＣｏｍｍｏｎで設定されるパラメータとが物理層に提供されて、物理層においてＳｅｒｖｉｎｇＣｅｌｌＣｏｎｆｉｇＣｏｍ
ｍｏｎで設定されるパラメータが優先されてもよい。
【０１８９】
（５）例えば、ＳｅｒｖｉｎｇＣｅｌｌＣｏｎｆｉｇＣｏｍｍｏｎＳＩＢで設定されるパラメータｓｓｂ−ＰｏｓｉｔｉｏｎＩｎＢｕｒｓｔが、ＳＳＢ−Ｔｒａｎｓｍｉｔｔｅｄ−ＳＩＢ１として物理層に提供され、ＳｅｒｖｉｎｇＣｅｌｌＣｏｎｆｉｇＣｏｍｍｏｎで設定されるｓｓｂ−ＰｏｓｉｔｉｏｎＩｎＢｕｒｓｔを示す二つのパラメータが、それぞれＳＳＢ−Ｔｒａｎｓｍｉｔｔｅｄ、ＳＳＢ−Ｔｒａｎｓｍｉｔｔｅｄ−ＲＯとして物理層に提供される場合、端末装置２は、ＳＳ／ＰＢＣＨブロックに関連するリソースエレメントに重複するリソースエレメントにある他の信号またはチャネルを受信しない判断をするときには、ＳＳＢ−Ｔｒａｎｓｍｉｔｔｅｄ−ＲＯは用いず、さらにＳＳＢ−Ｔｒａｎｓｍｉｔｔｅｄ−ＳＩＢ１よりＳＳＢ−Ｔｒａｎｓｍｉｔｔｅｄを優先して用いる。また、端末装置２は、ＮｔｘＳＳＢを導出（獲得）するときには、ＳＳＢ−ＴｒａｎｓｍｉｔｔｅｄよりＳＳＢ−Ｔｒａｎｓｍｉｔｔｅｄ−ＲＯを優先して用いる。また、端末装置２は、ＳＳＢ−Ｔｒａｎｓｍｉｔｔｅｄ−ＲＯが明示的に設定されない場合、ＮｔｘＳＳＢを導出（獲得）するときには、ＳＳＢ−Ｔｒａｎｓｍｉｔｔｅｄを優先して用いる、あるいはＳＳＢ−ＴｒａｎｓｍｉｔｔｅｄをＳＳＢ−Ｔｒａｎｓｍｉｔｔｅｄ−ＲＯとみなしてもよい。
【０１９０】
ここで、ＳＳＢ−Ｔｒａｎｓｍｉｔｔｅｄ−ＳＩＢ１は、ＳｅｒｖｉｎｇＣｅｌｌＣｏｎｆｉｇＣｏｍｍｏｎＳＩＢに含まれるｓｓｂ−ＰｏｓｉｔｉｏｎＩｎＢｕｒｓｔと換言されてもよい。また、ＳＳＢ−Ｔｒａｎｓｍｉｔｔｅｄは、ＳｅｒｖｉｎｇＣｅｌｌＣｏｎｆｉｇＣｏｍｍｏｎに含まれるｓｓｂ−ＰｏｓｉｔｉｏｎＩｎＢｕｒｓｔと換言されてもよい。ＳＳＢ−Ｔｒａｎｓｍｉｔｔｅｄ−ＲＯは、ＳｅｒｖｉｎｇＣｅｌｌＣｏｎｆｉｇＣｏｍｍｏｎに含まれる物理層のランダムアクセスプリアンブルの処理で用いられるｓｓｂ−ＰｏｓｉｔｉｏｎＩｎＢｕｒｓｔと換言されてもよい。
【０１９１】
なお、ＰＲＡＣＨ機会の処理で用いられるその他の上位層パラメータは、ＳｅｒｖｉｎｇＣｅｌｌＣｏｎｆｉｇＣｏｍｍｏｎで設定されるパラメータが優先されてよい。前記その他の上位層パラメータは、ＲＲＣ層においてＳｅｒｖｉｎｇＣｅｌｌＣｏｎｆｉｇＣｏｍｍｏｎで設定されるパラメータが優先されて物理層に提供されて、物理層でそのパラメータが用いられてもよい。また、ＳｅｒｖｉｎｇＣｅｌｌＣｏｎｆｉｇＣｏｍｍｏｎＳＩＢで設定されるパラメータとＳｅｒｖｉｎｇＣｅｌｌＣｏｎｆｉｇＣｏｍｍｏｎで設定されるパラメータとが物理層に提供されて、物理層においてＳｅｒｖｉｎｇＣｅｌｌＣｏｎｆｉｇＣｏｍｍｏｎで設定されるパラメータが優先されてもよい。ＳＳＢ−Ｔｒａｎｓｍｉｔｔｅｄ−ＲＯは、第２のビットマップ構成であってもよい。ＳＳＢ−Ｔｒａｎｓｍｉｔｔｅｄ−ＲＯは、ＮｔｘＳＳＢを導出する際に用いられるＳＳ／ＰＢＣＨブロックの数の情報、あるいはＮｔｘＳＳＢの値であってもよい。
【０１９２】
また、基地局装置３は、ＰＲＡＣＨ機会に関する一つ以上のパラメータを、ＳＳＢ−Ｔｒａｎｓｍｉｔｔｅｄとみなされるｓｓｂ−ＰｏｓｉｔｉｏｎＩｎＢｕｒｓｔではなく、ＳＳＢ−Ｔｒａｎｓｍｉｔｔｅｄ−ＲＯとみなされるｓｓｂ−ＰｏｓｉｔｉｏｎＩｎＢｕｒｓｔに対応付ける（関連付ける）ように設定して、ＳｅｒｖｉｎｇＣｅｌｌＣｏｎｆｉｇまたはＳｅｒｖｉｎｇＣｅｌｌＣｏｎｆｉｇＣｏｍｍｏｎに含める。すなわち、基地局装置３は、ＳＳＢ−Ｔｒａｎｓｍｉｔｔｅｄから導出されるＮｔｘＳＳＢとＳＳＢ−Ｔｒａｎｓｍｉｔｔｅｄ−ＲＯから導出されるＮｔｘＳＳＢとが異なる場合、ＳＳＢ−Ｔｒａｎｓｍｉｔｔｅｄ−ＲＯから導出されるＮｔｘＳＳＢを用いるときに設定されるパラメータの値をＰＲＡＣＨ機会に関する一つ以上のパラメータに設定する。
【０１９３】
なお、上記説明で用いたメッセージは一例であり、ＲＲＣ再設定メッセージは上記ＲＲＣ再設定メッセージ以外の情報を含んでもよいし、上記ＲＲＣ再設定メッセージの一部の
情報を含まなくてもよい。また、ＲＲＣ再設定メッセージは、上記ＲＲＣ再設定メッセージとは異なる構造、情報要素名、あるいはパラメータ名が用いられてもよい。
【０１９４】
なお、前記説明において、便宜上、「ヌメロロジー」という単語を使用したが、システムで使用される以下のパラメータ（Ａ）から（Ｇ）の一部あるいは全部がヌメロロジーであってよい。
（Ａ）サンプリングレート
（Ｂ）サブキャリア間隔
（Ｃ）サブフレーム長
（Ｄ）スケジューリングに用いられる時間の単位（送信時間間隔、ＴＴＩ：Ｔｒａｎｓｍｉｓｓｉｏｎ  Ｔｉｍｅ  Ｉｎｔｅｒｖａｌ）
（Ｅ）ＯＦＤＭシンボル長
（Ｆ）１サブフレームに含まれるＯＦＤＭシンボル数
（Ｇ）シグナルおよび／またはチャネルが送信されるアンテナポート
【０１９５】
本発明の実施形態における装置の構成について説明する。
【０１９６】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０１９７】
上位層処理部２４は、ユーザの操作等により生成された上りリンクデータ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。
【０１９８】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジューリングリクエストの伝送の制御を行う。
【０１９９】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０２００】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、データを変調、符号化することによって送信信号を生成し、基地局装置３に送信する。
【０２０１】
ＲＦ部２２は、アンテナ部２１を介して受信した信号を、直交復調によりベースバンド信号に変換し（ダウンコンバート: ｄｏｗｎ  ｃｏｖｅｒｔ）、不要な周波数成分を除去する。ＲＦ部２２は、処理をしたアナログ信号をベースバンド部に出力する。
【０２０２】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フーリエ変換（Ｆ
ａｓｔ  Ｆｏｕｒｉｅｒ  Ｔｒａｎｓｆｏｒｍ：ＦＦＴ）を行い、周波数領域の信号を抽出する。
【０２０３】
ベースバンド部２３は、データを逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０２０４】
ＲＦ部２２は、ローパスフィルタを用いてベースバンド部２３から入力されたアナログ信号から余分な周波数成分を除去し、アナログ信号を搬送波周波数にアップコンバート（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０２０５】
なお、端末装置２は、複数の周波数（周波数帯、周波数帯域幅）またはセルの同一サブフレーム内での送受信処理をサポートするために各部の一部あるいはすべてを複数備える構成であってもよい。
【０２０６】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０２０７】
上位層処理部３４は、媒体アクセス制御（ＭＡＣ： Ｍｅｄｉｕｍ  Ａｃｃｅｓｓ  Ｃ
ｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０２０８】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０２０９】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノードから取得し、無線送受信部３０に出力する。また、無線リソース制御層処理部３６は
、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０２１０】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０２１１】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケーション層処理部が存在している。
【０２１２】
なお、図中の「部」とは、セクション、回路、構成装置、デバイス、ユニットなど用語によっても表現される、端末装置２および基地局装置３の機能および各手順を実現する要素である。
【０２１３】
端末装置２が備える符号２０から符号２６が付された部のそれぞれは、回路として構成されてもよい。基地局装置３が備える符号３０から符号３６が付された部のそれぞれは、回路として構成されてもよい。
【０２１４】
本発明の実施形態における、端末装置２および基地局装置３の種々の態様について説明する。
【０２１５】
（１）本発明の第１の態様は、端末装置であって、ＤＣＣＨで送信されるサービングセルの設定情報（第１の設定情報）と、ＢＣＣＨで送信されるサービングセルを設定するシステム情報（第２の設定情報）とを受信する受信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセットを保持している場合には前記第１のパラメータセットを物理レイヤに提供（適用）し、前記第１のパラメータセットを保持していない場合には前記第２のパラメータセットまたは前記第３のパラメータセットの何れかを物理レイヤに提供（適用）する判定をする判定部とを備える。
【０２１６】
（２）本発明の第２の態様は、端末装置であって、ＤＣＣＨで送信されるサービングセルの設定情報（第１の設定情報）と、ＢＣＣＨで送信されるサービングセルを設定するシステム情報（第２の設定情報）とを受信する受信部と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含
み、前記第２の設定情報を取得した場合に、前記第１のパラメータセットを保持している場合には前記第１のパラメータセットを物理レイヤに提供（適用）し、前記第１のパラメータセットを保持していない場合には前記第２のパラメータセットを物理レイヤに提供（適用）する判定をする判定部とを備える。
【０２１７】
（３）本発明の第３の態様は、基地局装置であって、ＤＣＣＨでサービングセルの設定情報（第１の設定情報）、ＢＣＣＨでサービングセルを設定するシステム情報（第２の設定情報）とを端末装置に送信する送信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセットを前記端末装置に設定している場合には前記端末装置が前記第１のパラメータセットを物理レイヤに提供（適用）しているとみなし、前記第１のパラメータセットを前記端末装置に設定していない場合には前記端末装置が前記第２のパラメータセットまたは前記第３のパラメータセットの何れかを物理レイヤに提供（適用）しているとみなす判定部とを備える。
【０２１８】
（４）本発明の第４の態様は、基地局装置であって、ＤＣＣＨでサービングセルの設定情報（第１の設定情報）、ＢＣＣＨでサービングセルを設定するシステム情報（第２の設定情報）とを端末装置に送信する送信部と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第２の設定情報を前記端末装置に設定した場合に、前記第１のパラメータセットを前記端末装置に設定している場合には前記端末装置は前記第１のパラメータセットを物理レイヤに提供（適用）しているとみなし、前記第１のパラメータセットを前記端末装置に設定していない場合には前記端末装置は前記第２のパラメータセットを物理レイヤに提供（適用）しているとみなす判定部とを備える。
【０２１９】
（５）本発明の第５の態様は、端末装置に適用される方法であって、ＤＣＣＨで送信されるサービングセルの設定情報（第１の設定情報）と、ＢＣＣＨで送信されるサービングセルを設定するシステム情報（第２の設定情報）とを受信するステップと、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセットを保持している場合には前記第１のパラメータセットを物理レイヤに提供（適用）し、前記第１のパラメータセットを保持していない場合には前記第２のパラメータセットまたは前記第３のパラメータセットの何れかを物理レイヤに提供（適用）する判定をするステップとを少なくとも含む。
【０２２０】
（６）本発明の第６の態様は、端末装置に適用される方法であって、ＤＣＣＨで送信されるサービングセルの設定情報（第１の設定情報）と、ＢＣＣＨで送信されるサービングセルを設定するシステム情報（第２の設定情報）とを受信するステップと、前記第１の設
定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第２の設定情報を取得した場合に、前記第１のパラメータセットを保持している場合には前記第１のパラメータセットを物理レイヤに提供（適用）し、前記第１のパラメータセットを保持していない場合には前記第２のパラメータセットを物理レイヤに提供（適用）する判定をするステップとを少なくとも含む。
【０２２１】
（７）本発明の第７の態様は、基地局装置に適用される方法であって、ＤＣＣＨでサービングセルの設定情報（第１の設定情報）、ＢＣＣＨでサービングセルを設定するシステム情報（第２の設定情報）とを端末装置に送信するステップと、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセットを前記端末装置に設定している場合には前記端末装置が前記第１のパラメータセットを物理レイヤに提供（適用）しているとみなし、前記第１のパラメータセットを前記端末装置に設定していない場合には前記端末装置が前記第２のパラメータセットまたは前記第３のパラメータセットの何れかを物理レイヤに提供（適用）しているとみなすステップとを少なくとも含む。
【０２２２】
（８）本発明の第８の態様は、基地局装置に適用される方法であって、ＤＣＣＨでサービングセルの設定情報（第１の設定情報）、ＢＣＣＨでサービングセルを設定するシステム情報（第２の設定情報）とを端末装置に送信するステップと、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第２の設定情報を前記端末装置に設定した場合に、前記第１のパラメータセットを前記端末装置に設定している場合には前記端末装置は前記第１のパラメータセットを物理レイヤに提供（適用）しているとみなし、前記第１のパラメータセットを前記端末装置に設定していない場合には前記端末装置は前記第２のパラメータセットを物理レイヤに提供（適用）しているとみなすステップとを少なくとも含む。
【０２２３】
（９）本発明の第９の態様は、端末装置に実装される集積回路であって、ＤＣＣＨで送信されるサービングセルの設定情報（第１の設定情報）と、ＢＣＣＨで送信されるサービングセルを設定するシステム情報（第２の設定情報）とを受信する機能と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセットを保持している場合には前記第１のパラメータセットを物理レイヤに提供（適用）し、前記第１のパラメータセットを保持していない場合には前記第２のパラメータセットまたは前記第３のパラメータセットの何れかを物理レイヤに提供（適用）する判定をする機能とを前記端末装置に対して発揮させる。
【０２２４】
（１０）本発明の第１０の態様は、端末装置に実装される集積回路であって、ＤＣＣＨで送信されるサービングセルの設定情報（第１の設定情報）と、ＢＣＣＨで送信されるサービングセルを設定するシステム情報（第２の設定情報）とを受信する機能と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第２の設定情報を取得した場合に、前記第１のパラメータセットを保持している場合には前記第１のパラメータセットを物理レイヤに提供（適用）し、前記第１のパラメータセットを保持していない場合には前記第２のパラメータセットを物理レイヤに提供（適用）する判定をする機能とを前記端末装置に対して発揮させる。
【０２２５】
（１１）本発明の第１１の態様は、基地局装置に実装される集積回路であって、ＤＣＣＨでサービングセルの設定情報（第１の設定情報）、ＢＣＣＨでサービングセルを設定するシステム情報（第２の設定情報）とを端末装置に送信する機能と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセットを前記端末装置に設定している場合には前記端末装置が前記第１のパラメータセットを物理レイヤに提供（適用）しているとみなし、前記第１のパラメータセットを前記端末装置に設定していない場合には前記端末装置が前記第２のパラメータセットまたは前記第３のパラメータセットの何れかを物理レイヤに提供（適用）しているとみなす機能とを前記基地局装置に対して発揮させる。
【０２２６】
（１２）本発明の第１２の態様は、基地局装置に実装される集積回路であって、ＤＣＣＨでサービングセルの設定情報（第１の設定情報）、ＢＣＣＨでサービングセルを設定するシステム情報（第２の設定情報）とを端末装置に送信する機能と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第２の設定情報を前記端末装置に設定した場合に、前記第１のパラメータセットを前記端末装置に設定している場合には前記端末装置は前記第１のパラメータセットを物理レイヤに提供（適用）しているとみなし、前記第１のパラメータセットを前記端末装置に設定していない場合には前記端末装置は前記第２のパラメータセットを物理レイヤに提供（適用）しているとみなす機能とを前記基地局装置に対して発揮させる。
【０２２７】
（１３）本発明の第１３の態様は、端末装置であって、ＤＣＣＨで送信されるサービングセルの設定情報（第１の設定情報）と、ＢＣＣＨで送信されるサービングセルを設定するシステム情報（第２の設定情報）とを受信する受信部と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第１の設定情報を取得した場合には、前記第１のパラメータセットを物理レ
イヤに提供（適用）するパラメータとして適用し、前記第２の設定情報を取得した場合に、前記第１のパラメータセットが適用されていない場合には前記第２のパラメータセットを物理レイヤに提供（適用）するパラメータとして適用する判定をおこなう判定部とを備える。
【０２２８】
（１４）本発明の第１４の態様は、基地局装置であって、ＤＣＣＨでサービングセルの設定情報（第１の設定情報）、ＢＣＣＨでサービングセルを設定するシステム情報（第２の設定情報）とを端末装置に送信する送信部と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第１の設定情報を前記端末装置に設定した場合には、前記第１のパラメータセットを物理レイヤに提供（適用）するパラメータとして適用しているとみなし、前記第１のパラメータセットを前記端末装置に設定していない場合には前記端末装置は前記第２のパラメータセットを物理レイヤに提供（適用）するパラメータとして適用しているとみなす判定部とを備える。
【０２２９】
（１５）本発明の第１５の態様は、端末装置に適用される方法であって、ＤＣＣＨで送信されるサービングセルの設定情報（第１の設定情報）と、ＢＣＣＨで送信されるサービングセルを設定するシステム情報（第２の設定情報）とを受信するステップと、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第１の設定情報を取得した場合には、前記第１のパラメータセットを物理レイヤに提供（適用）するパラメータとして適用し、前記第２の設定情報を取得した場合に、前記第１のパラメータセットが適用されていない場合には前記第２のパラメータセットを物理レイヤに提供（適用）するパラメータとして適用する判定をおこなうステップとを備える。
【０２３０】
（１６）本発明の第１６の態様は、基地局装置に適用される方法であって、ＤＣＣＨでサービングセルの設定情報（第１の設定情報）、ＢＣＣＨでサービングセルを設定するシステム情報（第２の設定情報）とを端末装置に送信するステップと、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第１の設定情報を前記端末装置に設定した場合には、前記第１のパラメータセットを物理レイヤに提供（適用）するパラメータとして適用しているとみなし、前記第１のパラメータセットを前記端末装置に設定していない場合には前記端末装置は前記第２のパラメータセットを物理レイヤに提供（適用）するパラメータとして適用しているとみなすステップとを備える。
【０２３１】
（１７）本発明の第１７の態様は、端末装置に実装される集積回路であって、ＤＣＣＨで送信されるサービングセルの設定情報（第１の設定情報）と、ＢＣＣＨで送信されるサービングセルを設定するシステム情報（第２の設定情報）とを受信する機能と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に
送信されるＳＳ／ＰＢＣＨブロックの時間領域の位置を示す第２のパラメータを含む第２のパラメータセットを含み、前記第１の設定情報を取得した場合には、前記第１のパラメータセットを物理レイヤに提供（適用）するパラメータとして適用し、前記第２の設定情報を取得した場合に、前記第１のパラメータセットが適用されていない場合には前記第２のパラメータセットを物理レイヤに提供（適用）するパラメータとして適用する判定をおこなう機能とを前記端末装置に対して発揮させる。
【０２３２】
（１８）本発明の第１８の態様は、基地局装置に実装される集積回路であって、ＤＣＣＨでサービングセルの設定情報（第１の設定情報）、ＢＣＣＨでサービングセルを設定するシステム情報（第２の設定情報）とを端末装置に送信する機能と、前記第１の設定情報および前記第２の設定情報は、セル特有のパラメータを含み、前記第１の設定情報は、特定の期間に送信されるＳＳ／ＰＢＣＨブロックの時間領域の位置を示す第１のパラメータを含む第１のパラメータセットを含み、前記第２の設定情報は、特定の期間に送信されるＳＳ／ＰＢＣＨブロックの時間領域の位置を示す第２のパラメータを含む第２のパラメータセットを含み、前記第１の設定情報を前記端末装置に設定した場合には、前記第１のパラメータセットを物理レイヤに提供（適用）するパラメータとして適用しているとみなし、前記第１のパラメータセットを前記端末装置に設定していない場合には前記端末装置は前記第２のパラメータセットを物理レイヤに提供（適用）するパラメータとして適用しているとみなす機能とを前記基地局装置に対して発揮させる。
【０２３３】
（１９）本発明の第１９の態様は、端末装置であって、ＤＣＣＨで送信されるサービングセルの設定情報（第１の設定情報）と、ＢＣＣＨで送信されるサービングセルを設定するシステム情報（第２の設定情報）とを受信する受信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータを含む第２のパラメータセットとを含み、前記第２の設定情報は、特定の期間に送信されるＳＳ／ＰＢＣＨブロックの時間領域の位置を示すセル特有の第３のパラメータを含む第３のパラメータセットを含み、前記第１のパラメータセット、および前記第２のパラメータセットまたは前記第３のパラメータセットの何れかを物理レイヤに提供（適用）する処理部と、ＳＳ／ＰＢＣＨブロックに対応するランダムアクセス機会の時間および周波数リソースの導出に第２のパラメータあるいは第３のパラメータと、第１のパラメータを除く第１のパラメータセットを用いる物理レイヤ部とを備える。
【０２３４】
（２０）本発明の第２０の態様は、端末装置であって、サービングセルの設定情報（第１の設定情報）と、サービングセルを設定するシステム情報（第２の設定情報）とを受信する受信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータあるいは前記第３のパラメータの何れかを物理レイヤに提供（適用）する第１の処理部と、前記第１のパラメータが前記第１の処理部から提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得す
る処理以外の処理に用いられるパラメータとして前記第１のパラメータを用いる第２の処理部とを備える。
【０２３５】
（２１）本発明の第２１の態様は、基地局装置であって、サービングセルの設定情報（第１の設定情報）、およびサービングセルを設定するシステム情報（第２の設定情報）とを端末装置に送信する送信部と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータセットに含まれる前記第１のパラメータ以外のＰＲＡＣＨ機会に関するパラメータは、前記第２のパラメータまたは前記第３のパラメータに関連づけられたパラメータを設定する制御部とを備える。
【０２３６】
（２２）本発明の第２２の態様は、端末装置に適用される方法であって、サービングセルの設定情報（第１の設定情報）と、サービングセルを設定するシステム情報（第２の設定情報）とを受信するステップと、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータあるいは前記第３のパラメータの何れかを物理レイヤに提供（適用）するステップと、前記第１のパラメータが提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いるステップとを少なくとも含む。
【０２３７】
（２３）本発明の第２３の態様は、基地局装置に適用される方法であって、サービングセルの設定情報（第１の設定情報）、およびサービングセルを設定するシステム情報（第２の設定情報）とを端末装置に送信するステップと、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータセットに含まれる前記第１のパラメータ以外のＰＲＡＣＨ機会に関するパラメータは、前記第２のパラメータまたは前記第３のパラメータに関連づけられたパラメータを設定するステップとを少なくとも含む。
【０２３８】
（２４）本発明の第２４の態様は、端末装置に実装される集積回路であって、サービングセルの設定情報（第１の設定情報）と、サービングセルを設定するシステム情報（第２の設定情報）とを受信する機能と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータと、特定の期間に送信
されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータを保持している場合には、前記第１のパラメータと、前記第２のパラメータあるいは前記第３のパラメータの何れかを物理レイヤに提供（適用）し、前記第１のパラメータセットを保持していない場合には前記第２のパラメータまたは前記第３のパラメータの何れかを物理レイヤに提供（適用）する機能と、前記第１のパラメータが提供される場合に、ＳＳ／ＰＢＣＨブロックのバースト内のＳＳ／ＰＢＣＨブロックの数を獲得する処理に用いられるパラメータとして前記第２のパラメータあるいは前記第３のパラメータの何れかを用いて、前記ＳＳ／ＰＢＣＨブロックのバースト内のＳＳ／ＰＢＣＨブロックの数を獲得する処理以外の処理に用いられるパラメータとして前記第１のパラメータを用いる機能とを前記端末装置に対して発揮させる。
【０２３９】
（２５）本発明の第２５の態様は、基地局装置に実装される集積回路であって、サービングセルの設定情報（第１の設定情報）、およびサービングセルを設定するシステム情報（第２の設定情報）とを端末装置に送信する機能と、前記第１の設定情報および前記第２の設定情報は、セル特有のパラメータを含み、前記第１の設定情報は、特定の期間に送信されるＳＳ／ＰＢＣＨブロックの時間領域の位置を示すＵＥ特有の第１のパラメータを含む第１のパラメータセットと、特定の期間に送信されるＳＳ／ＰＢＣＨブロックの時間領域の位置を示すセル特有の第２のパラメータとを含み、前記第２の設定情報は、特定の期間に送信されるＳＳ／ＰＢＣＨブロックの時間領域の位置を示すセル特有の第３のパラメータを含み、前記第１のパラメータセットに含まれる前記第１のパラメータ以外のＰＲＡＣＨ機会に関するパラメータは、前記第２のパラメータまたは前記第３のパラメータに関連づけられたパラメータを設定する機能とを前記基地局装置に対して発揮させる。
【０２４０】
これにより、端末装置 ２および基地局装置３は、効率的に通信を行うことができる。
【０２４１】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２４２】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２４３】
端末装置２は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、ｇＮＢ（ｎｅｘｔ  ｇｅｎｅｒａｔｉｏｎ  Ｎｏｄｅ  Ｂ）とも称される。
【０２４４】
本発明に関わる基地局装置３は、複数の装置から構成される集合体（装置グループ）として実現することもできる。装置グループを構成する装置の各々は、上述した実施形態に
関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０２４５】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノードの機能の一部または全部を有してもよい。
【０２４６】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２４７】
なお、上述した実施形態における装置の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０２４８】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０２４９】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２５０】
なお、本願発明は上述の実施形態に限定されるものではない。実施形態では、装置の一
例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２５１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２５２】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2020005126.tif 000003
【図２】
2020005126.tif 000004
【図３】
2020005126.tif 000005
【図４】
2020005126.tif 000006
【図５】
2020005126.tif 000007
【図６】
2020005126.tif 000008
【図７】
2020005126.tif 000009
【図８】
2020005126.tif 000010
【図９】
2020005126.tif 000011
【図１０】
2020005126.tif 000012
【図１１】
2020005126.tif 000013
【図１２】
2020005126.tif 000014